(57)【要約】ユーザ機器、基地局、および方法が提供される。ユーザ機器（ＵＥ）は、伝送帯域の少なくとも一部内で第２の無線アクセス技術（ＲＡＴ）との共存を可能にする、第１のＲＡＴのためのリソースマッピングの指示を取得し、取得された前記リソースマッピングの指示に基づいて通信リソースを決定するように構成された処理回路を含む。
2020526099.tif 000002
【特許請求の範囲】
【請求項１】
ユーザ機器（ＵＥ）（１２）であって、処理回路（２０）を含み、前記処理回路（２０）は、
伝送帯域の少なくとも一部内で第２の無線アクセス技術（ＲＡＴ）との共存を可能にする、第１のＲＡＴのためのリソースマッピングの指示を取得し、
取得された前記リソースマッピングの指示に基づいて通信リソースを決定する、
よう構成されるユーザ機器（１２）。
【請求項２】
請求項１に記載のＵＥ（１２）であって、前記伝送帯域が前記第１のＲＡＴのキャリヤであるＵＥ（１２）。
【請求項３】
請求項１または２に記載のＵＥ（１２）であって、前記第１のＲＡＴがＮｅｗ  Ｒａｄｉｏ（ＮＲ）であり、前記第２のＲＡＴがロングタームエボリューション（ＬＴＥ）である、ＵＥ（１２）。
【請求項４】
請求項１乃至３のいずれか一項に記載のＵＥ（１２）であって、前記ＵＥ（１２）はＮｅｗ  Ｒａｄｉｏ（ＮＲ）ＵＥ（１２）である、ＵＥ（１２）。
【請求項５】
請求項１乃至４のいずれか一項に記載のＵＥ（１２）であって、決定された前記通信リソースは、物理ダウンリンク共有チャネル（ＰＤＳＣＨ）リソースである、ＵＥ（１２）。
【請求項６】
請求項１乃至５のいずれか一項に記載のＵＥ（１２）であって、取得された前記リソースマッピングの指示が複数の基地局（１４）から受信された送信に基づく、ＵＥ（１２）。
【請求項７】
請求項１乃至６のいずれか一項に記載のＵＥ（１２）であって、前記処理回路がゼロパワー参照信号（ＺＰ−ＲＳ）の使用を指示する動的シグナリングを受信するようにさらに構成され、これによりサブフレーム内に存在し得るロングタームエボリューション（ＬＴＥ）参照信号を避けて前記サブフレーム内のリソースマッピングが可能になる、ＵＥ（１２）。
【請求項８】
請求項１乃至７のいずれか一項に記載のＵＥ（１２）であって、前記リソースマッピングの指示がダウンリンク制御情報（ＤＣＩ）で受信される、ＵＥ（１２）。
【請求項９】
請求項１乃至８のいずれか一項に記載のＵＥ（１２）であって、前記リソースマッピングの指示が、前記２つのＲＡＴのうちの前記第１のＲＡＴおよび前記第２のＲＡＴのうちの少なくとも１つのキャリヤ上で送信される非周期的チャネル状態情報参照信号（ＣＳＩ−ＲＳ）の発生に基づくトリガである、ＵＥ（１２）。
【請求項１０】
請求項１乃至９のいずれか一項に記載のＵＥ（１２）であって、前記処理回路はさらに、非周期的ゼロパワー参照信号（ＺＰ−ＲＳ）構成を避けてリソースマッピングを行うよう構成され、前記リソースマッピングは前記トリガの受信に応答する、ＵＥ（１２）。
【請求項１１】
請求項１乃至１０のいずれか一項に記載のＵＥ（１２）であって、前記処理回路は、前記リソースマッピング中に、ＺＰ−ＲＳリソースを避けて物理ダウンリンク共有チャネル（ＰＤＳＣＨ）をリソースマッピングするように更に構成される、ＵＥ（１２）。
【請求項１２】
ユーザ機器（ＵＥ）（１２）のための方法であって、前記方法は、
伝送帯域の少なくとも一部内で第２の無線アクセス技術（ＲＡＴ）との共存を可能にする、第１のＲＡＴのためのリソースマッピングの指示を取得し（Ｓ１１２）、
取得された前記リソースマッピングの指示に基づいて通信リソースを決定する（Ｓ１１４）、
ことを含む、方法。
【請求項１３】
請求項１２に記載の方法であって、前記伝送帯域が前記第１のＲＡＴのキャリヤである方法。
【請求項１４】
請求項１２または１３に記載の方法であって、前記第１のＲＡＴがＮｅｗ  Ｒａｄｉｏ（ＮＲ）であり、前記第２のＲＡＴがロングタームエボリューション（ＬＴＥ）である、方法。
【請求項１５】
請求項１２乃至１４のいずれか一項に記載の方法であって、前記ＵＥ（１２）はＮｅｗ  Ｒａｄｉｏ（ＮＲ）ＵＥ（１２）である、方法。
【請求項１６】
請求項１２乃至１５のいずれか一項に記載の方法であって、決定された前記通信リソースは、物理ダウンリンク共有チャネル（ＰＤＳＣＨ）リソースである、方法。
【請求項１７】
請求項１２乃至１６のいずれか一項に記載の方法であって、取得された前記リソースマッピングの指示が複数の基地局（１４）から受信された送信に基づく、方法。
【請求項１８】
請求項１２乃至１７のいずれか一項に記載の方法であって、ゼロパワー参照信号（ＺＰ−ＲＳ）の使用を指示する動的シグナリングを受信することをさらに含み、これによりサブフレーム内に存在し得るロングタームエボリューション（ＬＴＥ）参照信号を避けて前記サブフレーム内のリソースマッピングが可能になる、方法。
【請求項１９】
請求項１２乃至１８のいずれか一項に記載の方法であって、前記リソースマッピングの指示がダウンリンク制御情報（ＤＣＩ）で受信される、方法。
【請求項２０】
請求項１２乃至１９のいずれか一項に記載の方法であって、前記リソースマッピングの指示が、前記２つのＲＡＴのうちの第１のＲＡＴおよび第２のＲＡＴのうちの少なくとも１つのキャリヤ上で送信される非周期的チャネル状態情報参照信号（ＣＳＩ−ＲＳ）の発生に基づくトリガである、方法。
【請求項２１】
請求項１２乃至２０のいずれか一項に記載の方法であって、非周期的ゼロパワー参照信号（ＺＰ−ＲＳ）構成を避けてリソースマッピングを行うことを含み、前記リソースマッピングは前記トリガの受信に応答することをさらに含む、方法。
【請求項２２】
請求項１２乃至２１のいずれか一項に記載の方法であって、前記リソースマッピング中に、ＺＰ−ＲＳリソースを避けて物理ダウンリンク共有チャネル（ＰＤＳＣＨ）リソースマッピングすることをさらに含む、方法。
【請求項２３】
基地局（１４）であって、処理回路（３２）を含み、前記処理回路（３２）は、
伝送帯域の少なくとも一部の中で第２の無線アクセス技術（ＲＡＴ）との共存を可能にする、第１のＲＡＴのためのリソースマッピングの指示を、少なくとも１つのユーザ機器（ＵＥ）へとシグナリングするよう構成された、基地局（１４）。
【請求項２４】
請求項２３に記載の基地局（１４）であって、前記伝送帯域が前記第１のＲＡＴのキャリヤである、基地局（１４）。
【請求項２５】
請求項２３または２４に記載の基地局（１４）であって、前記第１のＲＡＴがＮｅｗ  Ｒａｄｉｏ（ＮＲ）であり、前記第２のＲＡＴがロングタームエボリューション（ＬＴＥ）である、基地局（１４）。
【請求項２６】
請求項２３乃至２５のいずれかに記載の基地局（１４）であって、前記処理回路が、ゼロパワー参照信号（ＺＰ−ＲＳ）の使用の指示を前記少なくとも１つのＵＥ（１２）へとシグナリングするようにさらに構成され、これによりサブフレーム内に存在し得るロングタームエボリューション（ＬＴＥ）参照信号を避けて前記サブフレーム内のリソースマッピングが可能になり、前記シグナリングはオプションで動的である、基地局（１４）。
【請求項２７】
請求項２３乃至２５のいずれか一項に記載のＵＥ（１４）であって、前記指示がダウンリンク制御情報（ＤＣＩ）にシグナリングされる、基地局（１４）。
【請求項２８】
請求項２３乃至２６のいずれか一項に記載の基地局（１４）であって、前記リソースマッピングの指示のシグナリングが、前記２つのＲＡＴのうちの前記第１のＲＡＴおよび前記第２のＲＡＴのうちの少なくとも１つのキャリヤ上で送信される非周期的チャネル状態情報参照信号（ＣＳＩ−ＲＳ）の発生に基づくトリガの送信を含む、基地局（１４）。
【請求項２９】
基地局（１４）のための方法であって、前記方法は、
伝送帯域の少なくとも一部内で第２の無線アクセス技術（ＲＡＴ）との共存を可能にする、第１のＲＡＴのためのリソースマッピングの指示を少なくとも１つのユーザ機器（ＵＥ）（１２）にシグナリングする（Ｓ１１６）、ことを含む、方法。
【請求項３０】
請求項２９に記載の方法であって、前記伝送帯域が前記第１のＲＡＴのキャリヤである方法。
【請求項３１】
請求項２８または２９に記載の方法であって、前記第１のＲＡＴがＮｅｗ  Ｒａｄｉｏ（ＮＲ）であり、前記第２のＲＡＴがロングタームエボリューション（ＬＴＥ）である、方法。
【請求項３２】
請求項２８乃至３１のいずれかに記載の方法であって、ゼロパワー参照信号（ＺＰ−ＲＳ）の使用の指示を前記少なくとも１つのＵＥ（１２）へとシグナリングするようにさらに構成され、これによりサブフレーム内に存在し得るロングタームエボリューション（ＬＴＥ）参照信号を避けて前記サブフレーム内のリソースマッピングが可能になり、前記シグナリングはオプションで動的である、方法。
【請求項３３】
請求項２８乃至３２のいずれか一項に記載の方法であって、前記指示がダウンリンク制御情報（ＤＣＩ）にシグナリングされる、方法。
【請求項３４】
請求項２８乃至３３のいずれか一項に記載の方法であって、前記リソースマッピングの指示のシグナリングが、前記２つのＲＡＴのうちの第１のＲＡＴおよび第２のＲＡＴのうちの少なくとも１つのキャリヤ上で送信される非周期的チャネル状態情報参照信号（ＣＳＩ−ＲＳ）の発生に基づくトリガの送信を含む、方法。
【発明の詳細な説明】
【技術分野】
【０００１】
本開示は無線通信、特に、共搬送波共存シナリオにおいて動的に示される参照信号を使用するレートマッチングのための方法、無線デバイス、およびネットワークノードに関する。
【背景技術】
【０００２】
５ＧまたはＮｅｗ  Ｒａｄｉｏ（ＮＲ）などの次世代移動無線通信システムは、多様なユースケースの集合および多様な展開シナリオの集合をサポートする。後者は、今日のロングタームエボリューション（ＬＴＥ）に類似した低周波数（数１００ＭＨｚ）および超高周波数（数十ＧＨｚのｍｍ波）の両方での展開を含む。
【０００３】
ロングタームエボリューション（ＬＴＥ）はダウンリンクにおいて直交周波数分割多重（ＯＦＤＭ）を、アップリンクにおいて離散フーリエ変換（ＤＦＴ）拡散ＯＦＤＭを使用する。したがって、基本的なＬＴＥダウンリンク物理リソースは、ＬＴＥダウンリンクリソースのブロック図である図１に示されるように時間−周波数グリッドにおいて考慮されることができ、各リソース要素は、１つのＯＦＤＭシンボル間隔の間で１つのＯＦＤＭサブキャリヤに対応する。
【０００４】
ＬＴＥと同様に、ＮＲはダウンリンクにおいて（すなわち、ｇＮＢ、ｅＮＢ、または基地局などのネットワークノードから、無線デバイス（すなわち、ユーザ機器または端末）へ）ＯＦＤＭを使用する。アップリンク（すなわち、無線デバイスからネットワークノード）では、ＤＦＴ拡散ＯＦＤＭおよびＯＦＤＭの両方がサポートされる。
【０００５】
基本的なＮＲ物理リソースは、図１（ＬＴＥ物理リソース）に示されるようにＬＴＥにおけるそれと同様の時間−周波数グリッドであり、各リソース要素は、１つのＯＦＤＭシンボル間隔の間で１つのＯＦＤＭサブキャリヤに対応する。図１に示される構成には、Δｆ＝１５ｋＨｚのサブキャリヤ間隔を使用することができるが、ＮＲでは異なるサブキャリヤ間隔値がサポートされる。ＮＲにおけるサポートされるサブキャリヤ間隔値（異なるニュメロロジとも呼ばれる）は、Δｆ＝（１５×２α）ｋＨｚによって与えられ、ここでαは非負の整数である。
【０００６】
さらに、ＬＴＥにおけるリソース割り当ては、一般的にはリソースブロック（ＲＢ）に関して記述され、ここで、リソースブロック（ＲＢ）は時間領域において１スロット（０．５ｍｓ）に、周波数領域において１２個の連続するサブキャリヤに対応する。リソースブロックは、システム帯域幅の一端から周波数領域においてゼロで始まり番号付けされる。ＮＲの場合、リソースブロックはまた、周波数において１２個のサブキャリヤであるが、時間領域においてはさらなる研究のためのものである。ＲＢは、物理ＲＢ（ＰＲＢ）とも呼ばれる。
【０００７】
時間領域ではＬＴＥダウンリンク送信は１０ｍｓの無線フレームに編成され、各々の無線フレームは、図２に示すように、長さＴsubframe＝１ｍｓの１０個の等サイズのサブフレームからなり、図２は１５ｋＨｚのサブキャリヤ間隔を有するＬＴＥ時間領域構成の構造のブロック図である。各サブフレームはさらに、通常のサイクリックプレフィックス構成において、それぞれが７つのＯＦＤＭシンボルを有する２つのスロットに分割される。同様のフレーム構造はＮＲにおいても使用され、ここで、サブフレーム長は使用されるサブキャリヤ間隔にかかわらず１ｍｓに固定される。サブフレーム当たりのスロットの数は、構成されるサブキャリヤ間隔に依存する。（１５×２α）ｋＨｚサブキャリヤ間隔についてのスロット持続時間は、スロット当たり１４個のＯＦＤＭシンボルを仮定して２−αｍｓで与えられる。
【０００８】
ダウンリンク送信は動的にスケジュールされ、すなわち、各サブフレームにおいて、基地局は、現在のダウンリンクサブフレームにおいて、どのリソースブロックにおいてデータが送信されるかのような、送信された端末データに関するダウンリンク制御情報（ＤＣＩ）を送信する。ＬＴＥでは、この制御シグナリングが通常、各サブフレーム内の最初の１、２、３、または４つのＯＦＤＭシンボルで送信される。制御として３つのＯＦＤＭシンボルを有するダウンリンクＬＴＥシステムが図３に示されている。ＮＲでは、この制御シグナリングが一般的には各スロット内の最初の数個のＯＦＤＭシンボルで送信される。制御情報は物理ダウンリンク制御チャネル（ＰＤＣＣＨ）上で搬送され、データは物理ダウンリンク共有チャネル（ＰＤＳＣＨ）上で搬送される。端末はＰＤＣＣＨを検出し、復号し、ＰＤＣＣＨが正常に復号された場合、端末はＰＤＣＣＨ内の復号された制御情報に基づいて、対応するＰＤＳＣＨを復号する。各端末には、同じサービスセルにおいて固有のセル無線ネットワーク一時識別子（Ｃ−ＲＮＴＩ）が割り当てられる。端末のＰＤＣＣＨの巡回冗長検査（ＣＲＣ）ビットは端末のＣ−ＲＮＴＩによってスクランブルされるため、端末はＰＤＣＣＨのＣＲＣ（巡回冗長検査）ビットをスクランブルするために使用したＣ−ＲＮＴＩをチェックすることで、ＰＤＣＣＨを認識する。
【０００９】
物理チャネルと伝送モード
ＬＴＥでは、いくつかの物理ダウンリンク（ＤＬ）チャネルがサポートされる。ダウンリンク物理チャネルは、上位レイヤから発信される情報を搬送するリソース要素のセットに対応する。以下は、ＬＴＥにおいてサポートされる物理チャネルのいくつかである：
−物理ダウンリンク共有チャネル、ＰＤＳＣＨ
−物理ダウンリンク制御チャネル、ＰＤＣＣＨ
−拡張物理ダウンリンク制御チャネル、ＥＰＤＣＣＨ。
【００１０】
ＰＤＳＣＨは、ユーザトラフィックデータおよび上位レイヤメッセージを搬送するために使用される。ＰＤＳＣＨは物理チャネル及び伝送モードのブロック図である図３に示すように、制御領域外のダウンリンク（ＤＬ）サブフレームで送信される。ＰＤＣＣＨおよびＥＰＤＣＣＨの両方は、ＰＲＢ割り当て、変調レベルおよび符号化方式（ＭＣＳ）、送信機で使用されるプリコーダなどのダウンリンク制御情報（ＤＣＩ）を搬送するために使用される。ＰＤＣＣＨはＤＬサブフレーム、すなわち、制御領域において、最初の１〜４個のＯＦＤＭシンボルで送信され、ＥＰＤＣＣＨは、ＰＤＳＣＨと同じ領域で送信される。
【００１１】
同様に、ＬＴＥでは、以下の物理アップリンク（ＵＬ）チャネルがサポートされる：
−物理アップリンク共有チャネル、ＰＵＳＣＨ
−物理アップリンク制御チャネル、ＰＵＣＣＨ。
【００１２】
ＬＴＥでは、ＤＬおよびＵＬデータスケジューリングのために、異なるＤＣＩフォーマットが定義される。例えば、ＤＣＩフォーマット０及び４はＵＬデータスケジューリングのために使用され、ＤＣＩフォーマット１、１Ａ、１Ｂ、１Ｃ、１Ｄ、２、２Ａ、２Ｂ、２Ｃ及び２Ｄ［２］はＤＬデータスケジューリングのために使用される。ＤＬでは、どのＤＣＩフォーマットがデータスケジューリングに使用されるかはＤＬ送信方式および／または送信されるメッセージのタイプに関連付けられる。以下は、ＬＴＥにおいてサポートされる送信方式のいくつかである：
−単一アンテナポート；
−送信ダイバーシチ（ＴｘＤ）；
−オープンループ空間多重化；
−クローズループ空間多重化；
−最大８レイヤ送信。
【００１３】
ＰＤＣＣＨは単一アンテナポートまたは送信ダイバーシチ方式のいずれかで送信され、ＰＤＳＣＨは送信方式のいずれか１つを使用することができる。ＬＴＥでは、無線デバイスが送信方式ではなく、送信モード（ＴＭ）で構成される。ＬＴＥにおけるＰＤＳＣＨに対してこれまでに定義された１０個のＴＭ、すなわちＴＭ１〜ＴＭ１０がある。各ＴＭは、プライマリ送信方式とバックアップ送信方式とを定義する。バックアップ送信方式は、単一アンテナポートまたはＴｘＤのいずれかである。以下は、ＬＴＥにおけるいくつかのプライマリ送信方式のリストである：
−ＴＭ１：シングルアンテナポート、ポート０；
−ＴＭ２：ＴｘＤ；
−ＴＭ３：開ループＳＭ；
−ＴＭ４：閉ループＳＭ；
−ＴＭ９：最大８レイヤ送信、ポート７−１４；および
−ＴＭ１０：最大８レイヤ送信、ポート７−１４。
【００１４】
ＴＭ１〜ＴＭ６では、セル固有参照信号（ＣＲＳ）がチャネル状態情報フィードバックおよび無線デバイスにおける復調の両方のための参照信号として使用される。ＴＭ７〜ＴＭ１０では、復調用の参照信号として、無線デバイス固有復調参照信号（ＤＭＲＳ）が用いられている。
【００１５】
制御シグナリングのためのＬＴＥメカニズム
ＬＴＥ制御シグナリングは、ＰＤＣＣＨまたはＰＵＣＣＨ上の制御情報の搬送や、ＰＵＳＣＨへの埋め込み、媒体アクセス制御（ＭＡＣ）制御要素（「ＭＡＣ  ＣＥ」）内、または無線リソース制御（ＲＲＣ）シグナリング内を含む、様々な方法で搬送することができる。これらのメカニズムの各々は、特定の種類の制御情報を搬送するようにカスタマイズされる。
【００１６】
ＬＴＥでは、ＰＤＣＣＨまたはＰＵＣＣＨ上で搬送されるか、またはＰＵＳＣＨに埋め込まれる制御情報は、第３世代パートナーシッププロジェクト（３ＧＰＰ）技術仕様（ＴＳ）３６．２１１、３６．２１２、および３６．２１３に記載されているように、ダウンリンク制御情報（ＤＣＩ）、アップリンク制御情報（ＵＣＩ）などの物理レイヤ関連制御情報である。ＤＣＩは一般に、無線デバイスに何らかの物理レイヤ機能を実行するように命令し、その機能を実行するために必要な情報を提供するために使用される。ＵＣＩは一般的に、ハイブリッド自動再送要求確認（ＨＡＲＱ−ＡＣＫ）、スケジューリング要求（ＳＲ）、チャネル状態情報（ＣＳＩ）、チャネル品質指標（ＣＱＩ）、プリコディングマトリクス指標（ＰＭＩ）、ランク指標（ＲＩ）および／またはＣＳＩリソース指標（ＣＲＩ）などの必要な情報をネットワークに提供する。ＵＣＩおよびＤＣＩはサブフレームごとに送信されることができ、したがって、高速フェージング無線チャネルとともに変化することができるパラメータを含む、急速に変化するパラメータをサポートするように設計される。ＵＣＩおよびＤＣＩはサブフレームごとに送信することができるので、所与のセルに対応するＵＣＩまたはＤＣＩは、制御オーバーヘッドの量を制限するために、およそ数十ビットである傾向がある。
【００１７】
ＭＡＣ  ＣＥで搬送された制御情報は、例えば３ＧＰＰ  ＴＳ  ３６．３２１  で説明されているように、アップリンクおよびダウンリンク共有トランスポートチャネル（ＵＬ−ＳＣＨおよびＤＬ−ＳＣＨ）のＭＡＣヘッダで搬送される。ＭＡＣヘッダは固定サイズを有さないので、ＭＡＣ  ＣＥ内の制御情報は、制御情報が必要とされるときに送信されることができ、固定オーバーヘッドを必ずしも意味しない。さらに、ＭＡＣ  ＣＥはより大きな制御ペイロードを効率的に運ぶことができ、それは、それらが、リンク適応、ＨＡＲＱの恩恵を受けるＵＬ−ＳＣＨまたはＤＬ−ＳＣＨトランスポートチャネルで運搬され、かつ、ターボコード化が可能だからである（一方、ＵＣＩおよびＤＣＩは３ＧＰＰリリース−１３（Ｒｅｌ−１３）にはない）。ＭＡＣ  ＣＥは、タイミングアドバンスの維持またはバッファステータス報告など、固定されたパラメータのセットを使用する反復タスクを実行するために使用されるが、これらのタスクは一般に、サブフレームごとにＭＡＣ  ＣＥの送信を必要としない。したがって、ＰＭＩ、ＣＱＩ、ＲＩ、およびＣＲＩのような高速フェージング無線チャネルに関連するチャネル状態情報は、Ｒｅｌ−１３のＭＡＣ  ＣＥでは搬送されない。
【００１８】
ＬＴＥ  のチャネル状態情報参照信号（ＣＳＩ−ＲＳ）
ＬＴＥ  ３ＧＰＰリリース−１０では、チャネル状態情報推定を可能にする目的で、新しいチャネル状態情報参照信号（ＣＳＩ−ＲＳ）を導入した。ＣＳＩ−ＲＳベースのＣＳＩフィードバックは、以前のリリースで使用されたＣＲＳベースのＣＳＩフィードバックを上回るいくつかの利点を提供する。第１に、ＣＳＩ−ＲＳはデータ信号の復調には用いられないため、同じ密度を必要としない（すなわち、ＣＳＩ−ＲＳのオーバーヘッドはかなり小さくなる）。第２に、ＣＳＩ−ＲＳはＣＳＩフィードバック測定値を構成するためのより柔軟な方法を提供する（例えば、測定対象のどのＣＳＩ−ＲＳリソースが無線デバイス固有の方法で構成されることができるか）。
【００１９】
ＬＴＥでは、非ゼロパワー（ＮＺＰ）ＣＳＩ−ＲＳとゼロパワー（ＺＰ）ＣＳＩ−ＲＳの２種類のＣＳＩ−ＲＳが定義されている。ＮＺＰ  ＣＳＩ−ＲＳは、無線デバイスがネットワークノードへのダウンリンクチャネルを推定するために、ネットワークノード（またはｅＮＢ）によって送信される。ＺＰ  ＣＳＩ−ＲＳについては、１つ以上のＣＳＩ−ＲＳリソースがネットワークノードによって配分されるが、リソース上では何も送信されない。これは、近隣セル内の無線デバイスによってより良いチャネル推定を行うことができるように、近隣セルへの干渉を減らすために使用できる。
【００２０】
３ＧＰＰリリース１３無線デバイスの場合、サポートされるアンテナポートの数は、１、２、４、８、１２、および１６である。３ＧＰＰリリース１４では、アンテナポートの数が２０、２４、２８、および３２ポートを含むように増加されている。図４は、ＰＲＢにおけるＣＳＩ−ＲＳ配分に利用可能なＲＥのブロック図である。ＣＳＩ−ＲＳのために最大で４０個のＲＥを構成することができる。ＣＳＩ−ＲＳは、すべてのＰＲＢを介して送信される。ＣＳＩ−ＲＳ信号はシステム帯域幅のすべてのＲＢ  に送信されるため、すべてのＲＢで同じリソース配分が繰り返されることに留意されたい。Ｒｅｌ−１４  ＬＴＥでは、ＣＳＩ−ＲＳ  も密度を低下させて送信することができる。すなわち、Ｎ番目のＰＲＢ毎に異なるポートに対応するＣＳＩ−ＲＳ信号が伝送される。
【００２１】
３ＧＰＰ  ＬＴＥリリース１３までは、ＣＳＩ−ＲＳサブフレームとも呼ばれる、一定のサブフレーム上で定期的にＣＳＩ−ＲＳが送信されていた。ＬＴＥ  ＣＳＩ−ＲＳサブフレーム構成は、サブフレーム周期性およびサブフレームオフセットからなる。周期性は、５、１０、２０、４０および８０ｍｓで構成可能である。ＬＴＥ  ＣＳＩ−ＲＳ構成には、３ＧＰＰ  ＴＳ３６．２１１の表６．１０．５．２−１に明記されるようなＣＳＩ−ＲＳリソース構成と、３ＧＰＰ  ＴＳ３６．２１１の表６．１０．５．３−１に明記されるようなＣＳＩ−ＲＳサブフレーム構成が含まれる。
【００２２】
３ＧＰＰ  ＬＴＥリリース１４では、設定されているＣＳＩ−ＲＳリソースのみが適用可能な非周期的ＣＳＩ−ＲＳが導入され、従来のＣＳＩ−ＲＳ構成とは異なり、サブフレーム構成が適用可能である。また、無線デバイスは、Ｋ＝｛１，２，...，８｝のＣＳＩ−ＲＳリソースを用いて事前構成されることができる。
【００２３】
非周期的ＣＳＩ−ＲＳの動機の１つは、無線デバイスがダウンリンクＣＳＩを測定しフィードバックするために、ＣＳＩ−ＲＳの送信が任意のサブフレームにおいて発生することができ、非周期的ＣＳＩ−ＲＳが事前構成されたサブフレームのセットに限定される必要がないことである。別の動機は、多数の無線デバイスの存在下でＣＳＩ−ＲＳオーバーヘッドを低減することができることである。例えば、多数の無線デバイスが存在する場合、無線機器固有の方法で各無線デバイスに周期的ＣＳＩ−ＲＳリソースを割り当てると、多数のＲＥが消費され、ＣＳＩ−ＲＳのオーバーヘッドを押し上げることになる。ＣＳＩ−ＲＳオーバーヘッドは、最大Ｋ個のリソースを含むことができるＣＳＩ−ＲＳリソースのプールを持つ非周期的ＣＳＩ−ＲＳによって削減できる。複数のＣＳＩ−ＲＳリソースを含むＣＳＩ−ＲＳリソースプールは、異なる無線デバイスを対象とするためにプリコードまたはビーム形成されたＣＳＩ−ＲＳを、共通のＣＳＩ−ＲＳリソースプールを共有することにより異なるサブフレームで送信することができる無線デバイスのグループ間で共有することができる。ＣＳＩ−ＲＳの存在およびＣＳＩ測定要求は、ＣＳＩ測定および報告のためにターゲット無線デバイスへのアップリンクデータ許可メッセージなどのＤＣＩにおいて動的にトリガされ得る。一例を図５に示す。図５は、ＤＣＩを介した非周期的ＣＳＩ−ＲＳの動的指示の例のブロック図である。動的非周期的ＣＳＩ−ＲＳ指示では、無線デバイスがサブフレーム中のＣＳＩを測定するように指示され、無線デバイスは、その指示と、事前構成されたＣＳＩ−ＲＳリソースのうちのどのリソース上で無線デバイスがＣＳＩを測定すべきかとを受信する。無線デバイスは指示されたＣＳＩ−ＲＳリソース上でＣＳＩを測定し、ＣＳＩを無線デバイスおよび／またはネットワークノードにフィードバックする。
【００２４】
場合によっては、例えば、負荷が変動している場合など、Ｋ個の事前設定したＣＳＩ−ＲＳリソースすべてが必要となるとは限らない。従って、この場合、システムの変化する負荷に対処するために、よりダイナミックな方法で、Ｋ＞Ｎ個のＣＳＩ−ＲＳリソースがアクティブ化されてよい。無線デバイスでＫ個のうちＮ個のＣＳＩ−ＲＳリソースがアクティブ化された場合、無線デバイスは、Ｎ個のアクティブ化されたＣＳＩ−ＲＳリソースのうちの１つで非周期的ＣＳＩ−ＲＳを受信することを期待できる。３ＧＰＰ  ＬＴＥリリース１４では、Ｋ個のリソースのうちのＮ個のリソースのアクティブ化がＭＡＣ  ＣＥシグナリングを介して行うことができる。アクティブ化されたＮ個のＣＳＩ−ＲＳリソースは、後で別のＭＡＣ  ＣＥ信号によって非アクティブ化することができる。図６は、ＭＡＣ  ＣＥによる非周期的ＣＳＩ−ＲＳリソースのアクティブ化／非アクティブ化、およびＬＴＥにおけるＤＣＩを介した非周期的ＣＳＩ−ＲＳの動的指示の例のブロック図である。
【００２５】
ＮＲのチャネル状態情報参照信号ＣＳＩ−ＲＳ）
ＬＴＥと同様に、ＮＲでは、無線デバイスにおけるダウンリンクチャネル推定のために、ネットワークノードにおける各アンテナポートから固有の参照信号が送信される。ダウンリンクチャネル推定のための参照信号は、通常、チャネル状態情報参照信号（ＣＳＩ−ＲＳ）と呼ばれる。Ｎ個のアンテナポートについては、Ｎ個のＣＳＩ−ＲＳ信号があり、それぞれが１つのアンテナポートに関連付けられる。
【００２６】
ＣＳＩ−ＲＳ上で測定することによって、無線デバイスは、ネットワークノードおよび無線デバイスの両方において、無線伝搬チャネルおよびアンテナ利得を含めて、ＣＳＩ−ＲＳがトラバースしている有効チャネルを推定することができる。数学的には、これは、既知のＣＳＩ−ＲＳ信号ｘi（ｉ＝１，２，...，Ｎtx）がネットワークノードにおいてｉ番目の送信アンテナポート上で送信される場合、無線デバイスのｊ番目の受信アンテナポート上の受信信号ｘi（ｉ＝１，２，...，Ｎtx）は、
ｙi＝ｈi,jｘiｎj
として表すことができることを意味しており、
ここでｈi,jは、ｉ番目の送信アンテナポートとｊ番目の受信アンテナポートとの間の有効チャネルであり、ｎjは、ｊ番目の受信アンテナポートに関連する受信機雑音であり、Ｎtxは、ｇＮＢにおける送信アンテナポートの数であり、Ｎrxは、端末における受信アンテナポートの数である。
【００２７】
無線デバイスは、Ｎrx×Ｎtx有効チャネル行列Ｈ（Ｈ（ｉ，ｊ）＝ｈi,j）、したがって、チャネルランク、プリコーディング行列、およびチャネル品質を推定することができる。これは、各ランクに対して予め設計されたコードブックを使用することによって達成され、コードブック内の各コードワードはプリコーディング行列候補である。無線デバイスは、コードブックを探索して、有効チャネルに最も一致するよう、ランクと、ランクに関連付けられたコードワードと、ランクおよびプリコーディング行列に関連付けられたチャネル品質とを見つける。ランク、プリコーディング行列、およびチャネル品質は、ＣＳＩフィードバックの一部として、ランクインジケータ（ＲＩ）、プリコーディング行列インジケータ（ＰＭＩ）、およびチャネル品質インジケータ（ＣＱＩ）の形で報告される。これは、いわゆるチャネル依存プリコーディング、または閉ループプリコーディングをもたらす。そのようなプリコーディングは本質的に、送信されたエネルギーの大部分を無線デバイスに伝達するという意味で強い部分空間に送信エネルギーを集中させるように努める。
【００２８】
ＣＳＩ−ＲＳ信号は、アンテナポートに関連付けられた時間−周波数リソース要素（ＲＥ）のセット上で送信される。システム帯域幅にわたるチャネル推定のために、ＣＳＩ−ＲＳは、通常、システム帯域幅全体にわたって送信される。ＣＳＩ−ＲＳ送信に使用されるＲＥのセットは、ＣＳＩ−ＲＳリソースと呼ばれる。無線デバイスの観点から、アンテナポートは、無線デバイスがチャネルを測定するために使用するＣＳＩ−ＲＳに相当する。最大３２個（すなわち、Ｎtx＝３２）のアンテナポートがＮＲでサポートされており、したがって、無線デバイス用に３２個のＣＳＩ−ＲＳ信号を設定することができる。ＮＲにおけるＣＳＩ−ＲＳのＲＥのパターンは、ＬＴＥにおけるＣＳＩ−ＲＳのＲＥのパターンとは異なる。
【００２９】
ＮＲでは、以下の３種類のＣＳＩ−ＲＳ送信がサポートされている：
−周期的ＣＳＩ−ＲＳ送信：ＣＳＩ−ＲＳは、一定のサブフレームまたはスロットで周期的に送信される。このＣＳＩ−ＲＳ送信は、ＣＳＩ−ＲＳリソース、周期性およびＬＴＥと類似したサブフレームまたはスロットオフセットのようなパラメータを用いて準静的に設定される。
【００３０】
−非周期的ＣＳＩ−ＲＳ送信：これは、任意のサブフレームまたはスロットで起こり得るワンタイム（「ワンショット」）ＣＳＩ−ＲＳ送信である。ここでは、ワンショットとは、ＣＳＩ−ＲＳ送信は１回のトリガごとに１回のみ発生することを意味する。非周期的ＣＳＩ−ＲＳのためのＣＳＩ−ＲＳリソース（すなわち、サブキャリヤ位置とＯＦＤＭシンボル位置からなるリソース要素位置）は、準静的に構成される。非周期的ＣＳＩ−ＲＳの送信は、ＰＤＣＣＨを介する動的シグナリングによってトリガされる。トリガすることはまた、複数のＣＳＩ−ＲＳリソースからＣＳＩ−ＲＳリソースを選択することを含みうる。
【００３１】
−半永続的ＣＳＩ−ＲＳ送信：周期的ＣＳＩ−ＲＳと同様に、半永続的ＣＳＩ−ＲＳ送信のためのリソースは、周期性やサブフレームまたはスロットオフセットのようなパラメータで準静的に設定される。しかし、周期的ＣＳＩ−ＲＳとは異なり、ＣＳＩ−ＲＳ送信をアクティブ化し、おそらく非アクティブ化にするためには、動的シグナリングが必要である。半永続的ＣＳＩ−ＲＳ送信のブロック図である例が図７に示されている。
【００３２】
レートマッチング
ＬＴＥでは、仮想循環バッファを使用して、バッファ内のビットを選択またはプルーニングすることによって、任意の利用可能なコードレートを一致させる。このレートマッチングは、サブフレーム内の無線デバイスのための利用可能なＲＥの数が様々な参照信号の有無のために変化し得るので、有用である。例えば、ＣＳＩ−ＲＳで構成されたサブフレーム内のＰＤＳＣＨのためのＲＥの数は、ＣＳＩ−ＲＳなしのサブフレーム内のＲＥ  の数とは異なる。この場合、レートマッチングを使用して、利用可能なＰＤＳＣＨのＲＥの変動を適応させることができる。この場合、ネットワークノードおよび無線デバイスの両方が、利用可能なＰＤＳＣＨのＲＥの正確な数およびＲＢ内のＲＥ位置を知っていることに留意されたい。このＰＤＳＣＨからＲＥへのマッピング情報は正しいＰＤＳＣＨ復号のために使用される。さもなければＰＤＳＣＨが送信されるＲＥと、ＰＤＳＣＨが受信され復号されるＲＥとの間に不一致があり得るためである。
【００３３】
非周期的ＣＳＩ−ＲＳを避けたレートマッチング
非周期的ＣＳＩ−ＲＳ送信に関する１つの問題は、サブフレーム内の正しいＰＤＳＣＨ−ＲＥマッピング、または正しいＰＤＳＣＨレートマッチングを決定するために、別の無線デバイスへの非周期的ＣＳＩ−ＲＳ送信について、サブフレーム内のＰＤＳＣＨでスケジュールされた無線デバイスにどのように通知するかである。ＬＴＥリリース−１４では、この問題がより高いレイヤのパラメータｃｓｉ−ＲＳ−ＣｏｎｆｉｇＺＰ−Ａｐを有する無線デバイスを構成することによって解決される。この上位レイヤパラメータ（ｃｓｉ−ＲＳ−ＣｏｎｆｉｇＺＰ−Ａｐ）が構成される場合、無線デバイスは、別の無線デバイスが非周期的ＣＳＩ−ＲＳを受信しているときに、無線デバイスへのＰＤＳＣＨ−ＲＥマッピングのために使用される４つの非周期的ＺＰ  ＣＳＩ−ＲＳリソースで構成される。ＰＤＳＣＨ−ＲＥマッピングにどの非周期的ＺＰ  ＣＳＩ−ＲＳリソースを使用すべきかは、表１（３ＧＰＰ  ＴＳ３６．２１１の表７．１．９−１から抽出）を使用してＤＣＩの「Aperiodic zero−power CSI−RS resource indicator for PDSCH RE Mapping（ＰＤＳＣＨ  ＲＥマッピングのための非周期的ゼロパワーＣＳＩ−ＲＳリソースインジケータ）」フィールドによって示される。
【００３４】
【表１】
2020526099.tif 000003
【００３５】
"Aperiodic zero−power CSI−RS resource indicator for PDSCH RE Mapping"フィールドの値
説明
'００'
上位レイヤによって構成される非周期的
ゼロパワーＣＳＩ−ＲＳリソース１
'０１'
上位レイヤによって構成される非周期的
ゼロパワーＣＳＩ−ＲＳリソース２
'１０'
上位レイヤによって構成される非周期的
ゼロパワーＣＳＩ−ＲＳリソース３
'１１'
上位レイヤによって構成される非周期的
ゼロパワーＣＳＩ−ＲＳリソース４
ＤＣＩのＰＱＩビット
３ＧＰＰ  ＬＴＥリリース１１では、所与のサービングセルのために送信モード１０で構成された無線デバイスが、無線デバイスおよび所与のサービングセルに向けられたＤＣＩフォーマット２Ｄを用いて、検出されたＰＤＣＣＨ／ＥＰＤＣＣＨに従ってＰＤＳＣＨを復号するために、上位レイヤシグナリングによって、最大４つのパラメータセットで構成され得る。なぜならば、ネットワークノードがチャネル状態に基づいて異なる時間に異なる送信ポイント（ＴＰ）を介して無線デバイスにＰＤＳＣＨを送信することができるためである。異なるＴＰのために構成された異なる参照信号が存在することができる。無線デバイスは正しいＰＤＳＣＨ  ＲＥマッピングを決定するために、ＤＣＩフォーマット２Ｄを有する検出されたＰＤＣＣＨ／ＥＰＤＣＣＨにおける「PDSCH RE Mapping and Quasi−Co−Location indicator（ＰＤＳＣＨ  ＲＥマッピングおよび疑似コロケーションインジケータ）」（ＰＱＩ）フィールド（３ＧＰＰ  ＴＳ３６．２１１の表７．１．９−１から抽出された表２で定義される）の値に従ってパラメータセットを使用する。
【００３６】
【表２】
2020526099.tif 000004
【００３７】
'PDSCH RE Mapping and Quasi−Co−Location indicator'フィールドの値
説明
'００'
上位レイヤで設定されるパラメータセット１
'０１'
上位レイヤで設定されるパラメータセット２
'１０'
上位レイヤで設定されるパラメータセット３
'１１'
上位レイヤで設定されるパラメータセット４
ＰＤＳＣＨ  ＲＥマッピングを決定するためのパラメータは、各パラメータのセットのための上位レイヤシグナリングを介して構成され、以下を含む：
−ＣＲＳポート数；
−ＣＲＳ周波数シフト；および
−ＺＰ  ＣＳＩ−ＲＳの構成。
【００３８】
ＬＴＥとＮＲの共存
ＬＴＥとの効率的な同一周波数帯域共存の可能性はＮＲの一態様である。ＬＴＥ端末は、少なくとも数年間、ネットワーク内に留まることが期待される。ＮＲとＬＴＥとの間の効率的な共存は、ＮＲに向かう柔軟なネットワークおよびスペクトル移行の可能性をサポートする。
【００３９】
同じスペクトル内のＮＲとのＬＴＥの共存は、周波数オーバーラップキャリヤ（「共キャリヤ共存」）ならびに周波数隣接非オーバーラップキャリヤ（「隣接キャリヤ共存」）とともに展開されているＬＴＥおよびＮＲを用いて実現され得る。これら２つのシナリオの中で、共キャリヤ共存シナリオは効率的なリソース共有を達成する態様であり、したがって、実装をサポートするシナリオの一部である。
【発明の概要】
【００４０】
第１の態様による開示のいくつかの実施形態では、ネットワークノードが、複数のＺＰ−ＲＳリソースからなる共通ゼロパワー参照信号（ＺＰ−ＲＳ）構成を有するＮＲ無線デバイスを構成し、前記ネットワークノードは非周期的ＣＳＩ−ＲＳがＬＴＥキャリヤまたはＮＲキャリヤ（またはその両方）のいずれかで送信されるときはいつでも、ＤＣＩを介して動的トリガを前記ＮＲ無線デバイスに送信する。ＤＣＩにおける前記動的トリガが受信されると、前記ＮＲ無線デバイスは、非周期的ＺＰ  ＲＳ構成を避けてレートマッチングを行う。
【００４１】
第２の態様による開示のいくつかの実施形態では、ＮＲ無線デバイスが複数の送信受信点（ＴＲＰ）からデータを受信し、一方、ＴＲＰのうちのいくつかも、システム帯域幅の全体または一部を使用してＬＴＥ無線デバイスにサービスしているときに、ＮＲ無線デバイスがどのようにＰＤＳＣＨからＲＥのマッピング（すなわち、レートマッチング）を実行することができるかについて説明する。前記ＮＲ無線デバイスがサブフレームまたはスロット内でＰＤＳＣＨを用いてスケジュールされるとき、前記ＮＲ無線デバイスは、ＬＴＥ参照信号がサブフレームまたはスロット内に存在するかどうかについて動的にシグナリングされ得、存在する場合、レートマッチングリソース構成もまた、サブフレームまたはスロット内のＰＤＳＣＨレートマッチングのためにシグナリングされる。前記レートマッチングリソース構成は、前記ＮＲ無線デバイスのために準静的に構成された複数のレートマッチングリソース構成のうちの１つであり、各構成は、ＬＴＥ参照信号によって占有されたＲＥならびにサブフレームまたはスロット中のＮＲ参照信号によって占有されたＲＥに関する情報を含む。
【００４２】
いくつかの実施形態は、伝送帯域の少なくとも一部内で第２の無線アクセス技術（ＲＡＴ）との共存を可能にする、第１のＲＡＴのためのリソースマッピングの指示を取得し、取得された前記リソースマッピングの指示に基づいて通信リソースを決定するように構成された処理回路を備えるユーザ機器（ＵＥ）を含む。
【００４３】
いくつかの実施形態では、前記伝送帯域が前記第１のＲＡＴのキャリヤである。いくつかの実施形態では、前記第１のＲＡＴがＮｅｗ  Ｒａｄｉｏ（ＮＲ）であり、前記第２のＲＡＴがロングタームエボリューション（ＬＴＥ）である。いくつかの実施形態では、前記ＵＥがＮｅｗ  Ｒａｄｉｏ（ＮＲ）のＵＥである。いくつかの実施形態では、決定された前記通信リソースが物理ダウンリンク共有チャネル（ＰＤＳＣＨ）リソースである。いくつかの実施形態では、取得された前記リソースマッピングの指示が複数の基地局から受信された送信に基づく。いくつかの実施形態では、前記処理回路がゼロパワー参照信号（ＺＰ−ＲＳ）の使用を指示する動的シグナリングを受信するようにさらに構成され、これによりサブフレーム内に存在し得るロングタームエボリューション（ＬＴＥ）参照信号を避けて前記サブフレーム内のリソースマッピングが可能になる。いくつかの実施形態では、前記リソースマッピングの指示がダウンリンク制御情報（ＤＣＩ）で受信される。いくつかの実施形態では、前記リソースマッピングの指示が、前記２つのＲＡＴのうちの前記第１のＲＡＴおよび前記第２のＲＡＴのうちの少なくとも１つのキャリヤ上で送信される非周期的チャネル状態情報参照信号（ＣＳＩ−ＲＳ）の発生に基づくトリガである。いくつかの実施形態において、前記処理回路はさらに、非周期的ゼロパワー参照信号（ＺＰ−ＲＳ）構成を避けてリソースマッピングを行うよう構成され、前記リソースマッピングは前記トリガの受信に応答する。いくつかの実施形態において、前記処理回路は、前記リソースマッピング中に、ＺＰ−ＲＳリソースを避けて物理ダウンリンク共有チャネル（ＰＤＳＣＨ）リソースマッピングするように更に構成される。
【００４４】
別の態様によれば、いくつかの実施形態では、ユーザ機器（ＵＥ）のための方法が提供される。この方法は、伝送帯域の少なくとも一部の中で第２の無線アクセス技術（ＲＡＴ）との共存を可能にする、第１のＲＡＴのためのリソースマッピングの指示を取得することと、取得された前記リソースマッピングの指示に基づいて通信リソースをマッピングすることとを含む。
【００４５】
いくつかの実施形態では、前記伝送帯域が前記第１のＲＡＴのキャリヤである。いくつかの実施形態では、前記第１のＲＡＴがＮｅｗ  Ｒａｄｉｏ（ＮＲ）であり、前記第２のＲＡＴがロングタームエボリューション（ＬＴＥ）である。いくつかの実施形態では、前記ＵＥがＮｅｗ  Ｒａｄｉｏ（ＮＲ）のＵＥである。いくつかの実施形態では、決定された前記通信リソースが物理ダウンリンク共有チャネル（ＰＤＳＣＨ）リソースである。いくつかの実施形態では、取得された前記リソースマッピングの指示が複数の基地局から受信された送信に基づく。いくつかの実施形態では、前記方法は、ゼロパワー参照信号（ＺＰ−ＲＳ）の使用を指示する動的シグナリングを受信することをさらに含み、これによりサブフレーム内に存在し得るロングタームエボリューション（ＬＴＥ）参照信号を避けて前記サブフレーム内のリソースマッピングが可能になる。いくつかの実施形態では、前記リソースマッピングの指示がダウンリンク制御情報（ＤＣＩ）で受信される。いくつかの実施形態では、前記リソースマッピングの指示が、前記２つのＲＡＴのうちの第１のＲＡＴおよび第２のＲＡＴのうちの少なくとも１つのキャリヤ上で送信される非周期的チャネル状態情報参照信号（ＣＳＩ−ＲＳ）の発生に基づくトリガである。いくつかの実施形態において、前記方法はさらに、非周期的ゼロパワー参照信号（ＺＰ−ＲＳ）構成を避けてリソースマッピングを行うことを含み、前記リソースマッピングは前記トリガの受信に応答する。いくつかの実施形態において、前記方法は、前記リソースマッピング中に、ＺＰ−ＲＳリソースを避けて物理ダウンリンク共有チャネル（ＰＤＳＣＨ）リソースマッピングすることを更に含む。
【００４６】
さらに別の態様によれば、いくつかの実施形態では、基地局が少なくとも１つのユーザ機器（ＵＥ）への伝送帯域の少なくとも一部の中で、第２の（無線アクセス技術）ＲＡＴとの共存を可能にする、第１のＲＡＴのためのリソースマッピングの指示をシグナリングするように構成された処理回路を含む。
【００４７】
いくつかの実施形態では、前記伝送帯域が前記第１のＲＡＴのキャリヤである。いくつかの実施形態では、前記第１のＲＡＴがＮｅｗ  Ｒａｄｉｏ（ＮＲ）であり、前記第２のＲＡＴがロングタームエボリューション（ＬＴＥ）である。いくつかの実施形態では、前記処理回路が、ゼロパワー参照信号（ＺＰ−ＲＳ）の使用の指示を前記少なくとも１つのＵＥへとシグナリングするようにさらに構成され、これによりサブフレーム内に存在し得るロングタームエボリューション（ＬＴＥ）参照信号を避けて前記サブフレーム内のリソースマッピングが可能になる、ここで前記シグナリングはオプションで動的である。いくつかの実施形態では、前記指示がダウンリンク制御情報（ＤＣＩ）でシグナリングされる。いくつかの実施形態では、前記リソースマッピングの指示のシグナリングが、前記２つのＲＡＴのうちの前記第１のＲＡＴおよび前記第２のＲＡＴのうちの少なくとも１つのキャリヤ上で送信される非周期的チャネル状態情報参照信号（ＣＳＩ−ＲＳ）の発生に基づくトリガの送信を含む。
【００４８】
別の態様によれば、いくつかの実施形態では、基地局のための方法が提供される。この方法は、伝送帯域の少なくとも一部の中で第２の無線アクセス技術（ＲＡＴ）との共存を可能にする、第１のＲＡＴのためのリソースマッピングの指示を、少なくとも１つのユーザ機器（ＵＥ）へとシグナリングすることを含む。
【００４９】
いくつかの実施形態では、前記伝送帯域が前記第１のＲＡＴのキャリヤである。いくつかの実施形態では、前記第１のＲＡＴがＮｅｗ  Ｒａｄｉｏ（ＮＲ）であり、前記第２のＲＡＴがロングタームエボリューション（ＬＴＥ）である。いくつかの実施形態では、前記方法が、ゼロパワー参照信号（ＺＰ−ＲＳ）の使用の指示を前記少なくとも１つのＵＥへとシグナリングすることをさらに含み、これによりサブフレーム内に存在し得るロングタームエボリューション（ＬＴＥ）参照信号を避けて前記サブフレーム内のリソースマッピングが可能になり、ここで前記シグナリングはオプションで動的である。いくつかの実施形態では、前記指示がダウンリンク制御情報（ＤＣＩ）でシグナリングされる。いくつかの実施形態では、前記リソースマッピングの指示のシグナリングが、前記２つのＲＡＴのうちの第１のＲＡＴおよび第２のＲＡＴのうちの少なくとも１つのキャリヤ上で送信される非周期的チャネル状態情報参照信号（ＣＳＩ−ＲＳ）の発生に基づくトリガの送信を含む。
【図面の簡単な説明】
【００５０】
本明細書に記載した実施形態、およびそれに付随する利点および特徴のより完全な理解は、添付の図面と併せて考慮される場合、以下の詳細な説明を参照することによって、より容易に理解されるのであろう：
【図１】図１は、ＬＴＥダウンリンクリソースのブロック図である。
【図２】図２は、１５ｋＨｚのサブキャリヤ間隔を有するＬＴＥ時間領域構造のブロック図である。
【図３】図３は、制御のための３つのＯＦＤＭシンボルを有するダウンリンクＬＴＥシステムである。
【図４】図４は、ＰＲＢにおけるＣＳＩ−ＲＳ配分に利用可能なＲＥのブロック図である。
【図５】図５は、ＤＣＩを介した非周期的ＣＳＩ−ＲＳの動的指示の例のブロック図である。
【図６】図６は、ＭＡＣ  ＣＥによる非周期的ＣＳＩ−ＲＳリソースのアクティブ化／非アクティブ化、およびＬＴＥにおけるＤＣＩを介した非周期的ＣＳＩ−ＲＳの動的指示の例のブロック図である。
【図７】図７は、半永続的ＣＳＩ−ＲＳ送信のブロック図である。
【図８】図８は、本開示のいくつかの実施形態の原理による、共キャリヤ共存シナリオにおいて動的に示される参照信号を使用するレートマッチングのための例示的なシステムのブロック図である。
【図９】図９は、本開示のいくつかの実施形態の原理による、ネットワークノードの代替実施形態である。
【図１０】図１０は、本開示のいくつかの実施形態の原理による、無線デバイスの代替実施形態である。
【図１１】図１１は、本開示のいくつかの実施形態の原理による、第１の構成コードの例示的な構成プロセスのフロー図である。
【図１２】図１２は、本開示のいくつかの実施形態の原理による例示的な第１のレートマッチングコードのフロー図である。
【図１３】図１３は、本開示のいくつかの実施形態の原理による、第２のレートマッチングコードの例示的なレートマッチングプロセスのフロー図である。
【図１４】図１４は、本開示のいくつかの実施形態の原理による、第２の構成コードの例示的な構成プロセスのフロー図である。
【図１５】図１５は、本明細書で説明される原理による、無線デバイスにおける例示的なプロセスのフローチャートである。
【図１６】図１６は、本明細書で説明される原理による、ネットワークノードにおける例示的なプロセスのフローチャートである。
【図１７】図１７は、ＰＤＳＣＨ  ＲＥマッピングのためのＺＰ−ＲＳリソースがＮＲ無線デバイスに指示されるシステムの図である。
【図１８】図１８は、非周期的ＣＳＩ−ＲＳをトリガするための実施形態の第２の例の図である。
【図１９】図１９は、非周期的ＣＳＩ−ＲＳをトリガするための実施形態の第３の例の図である。
【図２０】図２０は、複数のネットワークノードからＮＲ無線デバイスへのＰＤＳＣＨ送信のブロック図である。
【発明を実施するための形態】
【００５１】
本開示においては、本開示を例示するために、３ＧＰＰロングタームエボリューション（ＬＴＥ）およびＮｅｗ  Ｒａｄｉｏ（ＮＲ）からの用語が使用されているが、これは本開示の範囲を前述のシステムのみに限定するものと見なされるべきではない。ＷＣＤＭＡ、ＷｉＭａｘ、ＵＭＢ、およびＧＳＭを含む他の無線システムも、本開示内でカバーされるアイデアを活用することから利益を得ることができる。
【００５２】
また、ｅＮｏｄｅＢ（ｅＮＢ）／ｇＮｏｄｅＢ（ｇＮＢ）およびＵＥなどの用語は非限定的であると考えるべきであり、特に２つの間のある階層関係を意味するものではなく、一般に、「ｅＮＢ」または「ｇＮＢ」はデバイス１と、「ＵＥ」はデバイス２と見なすことができ、これらの２つのデバイスはいくつかの無線チャネルを介して互いに通信することに留意されたい。本明細書では、ダウンリンクにおける無線送信にも焦点を当てるが、本開示はアップリンクにおいて等しく適用可能である。さらに、「ネットワークノード」という用語は基地局を含むことができ、「無線デバイス」または「ＷＤ」という用語はユーザ機器（ＵＥ）を含むことに留意されたい。
【００５３】
共キャリヤ共存シナリオに存在する１つのオープンな問題は、非周期的ＣＳＩ−ＲＳがＬＴＥ無線デバイスおよび／またはＮＲ無線デバイスのために構成されるとき、サブフレームまたはスロット内の正しいＰＤＳＣＨ  ＲＥマッピングを決定するために、別の無線デバイスへの非周期的ＣＳＩ−ＲＳ送信について、サブフレームまたはスロット内のＰＤＳＣＨでスケジュールされたＮＲ無線デバイスに通知する方法である。ひとつの解決策は、ＮＲ  ＰＤＳＣＨ  ＲＥマッピング目的のために、２種類の異なるセットの非周期的ＺＰ  ＣＳＩ−ＲＳリソース（ＬＴＥ無線デバイスに対して構成された非周期的ＣＳＩ−ＲＳに対応する第１のリソースのセットと、ＮＲ無線デバイスに対して構成された非周期的ＣＳＩ−ＲＳに対応する別のセットのリソース）を導入し、２つの異なるセットを独立に２つの異なるＤＣＩフィールド経由で示すことである。しかしながら、これは、ＤＣＩオーバーヘッドの増加をもたらす。
【００５４】
共キャリヤ共存シナリオに存在する別の関連するオープンな問題は、ＬＴＥ無線デバイスが、ＰＤＳＣＨ  ＲＥマッピングおよび疑似コロケーションインジケータフィールドによって示される最大４つのパラメータセットを用いて送信モード１０で構成される場合に、サブフレームまたはスロット内の正しいＰＤＳＣＨ  ＲＥマッピングを決定するために、サブフレームまたはスロット内のＰＤＳＣＨでスケジュールされたＮＲ無線デバイスに、異なる送信ポイントから別の無線デバイスへの参照信号の可能な送信について通知する方法である。
【００５５】
本開示のいくつかの実施形態は、上述の問題の少なくともいくつかを解決することができる。本開示のいくつかの実施形態によって提供され得る１つの利点は、ＰＤＳＣＨレートマッチングシグナリングに関連するＤＣＩオーバーヘッドがＬＴＥ−ＮＲ共キャリヤ共存を含む場合について低減され得ることである。単一の動的指示を介してＬＴＥ参照信号およびＮＲ参照信号の両方を避けてレートマッチングを指示することによって、２つの異なるＤＣＩフィールド（１つはＬＴＥ参照信号用、１つはＮＲ参照信号用）を介してレートマッチング情報を独立して指示することを多少とも軽減することができる。
【００５６】
本開示のいくつかの実施形態によれば、「ＰＤＳＣＨからＲＥへのマッピング」、「リソースマッピング」、および「レートマッチング」という用語は、互換的に使用することができる。
【００５７】
例示的な実施形態を詳細に説明する前に、実施形態は主に、方法、コントローラ、ノード、およびスイッチに関連する構成要素および処理ステップの組合せにあることに留意されたい。したがって、構成要素は、本明細書の説明の恩恵を受ける当業者には容易に明らかであろう詳細で本開示を不明瞭にしないように、実施形態の理解に関連する特定の詳細のみを示す図中の従来の記号によって適宜表されている。
【００５８】
本明細書で使用されるように、「第１の」、「第２の」、「上部の」、および「下部の」などの関係用語は、エンティティまたは要素間の物理的または論理的な関係または順序を必ずしも必要とせず、または暗示することなく、１つのエンティティまたは要素を別のエンティティまたは要素から区別するためにのみ使用され得る。本明細書で使用される用語は特定の実施形態を説明することのみを目的としており、本明細書で説明される概念を限定することを意図していない。本明細書で使用されるように、単数形「ａ」、「ａｎ」および「ｔｈｅ」は文脈が別段の明確な表示をしない限り、複数形も含むことを意図する。さらに、本明細書で使用される場合、用語「備える」、「備えている」、「含む」、および／または「含んでいる」は、述べられた特徴、整数、ステップ、操作、要素、および／または構成要素の存在を特定するが、１つまたは複数の他の特徴、整数、ステップ、操作、要素、構成要素、および／またはそれらのグループの存在または追加を排除しないことを理解されたい。
【００５９】
別段の定義がない限り、本明細書で使用されるすべての用語（技術用語および科学用語を含む）は、本開示が属する技術分野の当業者によって一般に理解されるものと同じ意味を有する。さらに、本明細書で使用される用語は本明細書および関連技術の文脈におけるそれらの意味と一致する意味を有すると解釈されるべきであり、本明細書で明示的にそのように定義されない限り、理想化された、または過度に形式的な意味で解釈されないことが理解されるのであろう。
【００６０】
本明細書で説明される実施形態では、「と通信している」などの結合用語が例えば、物理的接触、誘導、電磁放射、無線信号、赤外線信号、または受光信号によって達成され得る電気通信またはデータ通信を示すために使用され得る。当業者は、複数の構成要素が相互動作することができ、電気通信およびデータ通信を達成するための修正および変形が可能であることを理解するのであろう。
【００６１】
同様の参照符号が同様の要素を示す図面を再度参照すると、図８には、本開示のいくつかの実施形態の原理による共キャリヤ共存シナリオにおいて動的に指示された参照信号を用いてレートマッチングするための例示的なシステムのブロック図が示されており、このシステムは一般的にシステム「１０」と呼ばれる。システム１０には無線デバイス１２及びネットワークノード１４が含まれる。無線デバイス１２は、１つまたは複数の要素システム１０と通信するための送信機回路１６および受信機回路１８を含む。１つまたは複数の実施形態では、送信機回路１６および受信機回路１８が通信インターフェースを含み、かつ／または通信インターフェースと置き換えられる。
【００６２】
無線デバイス１２は処理回路２０を含む。処理回路２０は、プロセッサ２２およびメモリ２４を含む。従来のプロセッサおよびメモリに加えて、処理回路２０は、処理および／または制御のための集積回路、例えば、１つまたは複数のプロセッサおよび／またはプロセッサコアおよび／またはＦＰＧＡ（フィールドプログラマブルゲートアレイ）および／またはＡＳＩＣ（特定用途向け集積回路）を備えることができる。プロセッサ２２は、任意の種類の揮発性および／または不揮発性メモリ、例えばキャッシュおよび／またはバッファメモリおよび／またはＲＡＭ（ランダムアクセスメモリ）および／またはＲＯＭ（読み出し専用メモリ）および／または光学メモリおよび／またはＥＰＲＯＭ（消去可能プログラマブル読み出し専用メモリ）を含むんでよいメモリ２４にアクセスするように構成されてもよい。そのようなメモリ２４はプロセッサ２２によって実行可能なコードおよび／または他のデータ、たとえば、環境生成データ、通信に関係するデータ、たとえば、ノードの構成および／またはアドレスデータなどを記憶するように構成され得る。
【００６３】
処理回路２０は、本明細書で説明される方法および／またはプロセスのいずれかを制御するように、および／または、そのような方法、シグナリング、および／またはプロセスを、たとえば無線デバイス１２によって実行させるように構成され得る。プロセッサ２２は、本明細書で説明する無線デバイス１２の機能を実行するための１つまたは複数のプロセッサ２２に対応する。無線デバイス１２は、データ、プログラムソフトウェアコード、および／または本明細書で説明する他の情報を保存するように構成されたメモリ２４を含む。１つまたは複数の実施形態では、メモリ２４が第１のレートマッチングコード２６を記憶するように構成される。例えば、第１のレートマッチングコード２６は、プロセッサ２２によって実行されると、プロセッサ２２に、図１２に関して説明された機能のような本明細書で説明された機能を実行させる命令を含む。１つまたは複数の実施形態では、メモリ２４が第２のレートマッチングコード２７を記憶するように構成される。例えば、第２のレートマッチングコード２７は、プロセッサ２２によって実行されると、プロセッサ２２に、図１３に関して説明された機能のような本明細書で説明された機能を実行させる命令を含む。
【００６４】
ネットワークノード１４は、１つまたは複数の要素システム１０と通信するための送信機回路２８および受信機回路３０を含む。１つまたは複数の実施形態では、送信機回路２８および受信機回路３０が通信インターフェースを含み、かつ／または通信インターフェースと置き換えられる。ネットワークノード１４は処理回路３２を含む。処理回路３２は、プロセッサ３４およびメモリ３６を含む。従来のプロセッサおよびメモリに加えて、処理回路３２は、処理および／または制御のための集積回路、例えば、１つまたは複数のプロセッサおよび／またはプロセッサコアおよび／またはＦＰＧＡ（フィールドプログラマブルゲートアレイ）および／またはＡＳＩＣ（特定用途向け集積回路）を備えることができる。プロセッサ３４は、任意の種類の揮発性および／または不揮発性メモリ、例えばキャッシュおよび／またはバッファメモリおよび／またはＲＡＭ（ランダムアクセスメモリ）および／またはＲＯＭ（読み出し専用メモリ）および／または光学メモリおよび／またはＥＰＲＯＭ（消去可能プログラマブル読み出し専用メモリ）を含むんでよいメモリ３６にアクセスするように構成されてもよい。そのようなメモリ３６はプロセッサ３４によって実行可能なコードおよび／または他のデータ、たとえば、環境生成データ、通信に関係するデータ、たとえば、ノードの構成および／またはアドレスデータなどを記憶するように構成され得る。
【００６５】
処理回路３２は、本明細書で説明される方法および／またはプロセスのいずれかを制御するように、および／または、そのような方法、シグナリング、および／またはプロセスを、たとえばネットワークノード１４によって実行させるように構成され得る。プロセッサ３４は、本明細書で説明するネットワークノード１４の機能を実行するための１つまたは複数のプロセッサ３４に対応する。ネットワークノード１４は、データ、プログラムソフトウェアコード、および／または本明細書で説明する他の情報を保存するように構成されたメモリ３６を含む。１つまたは複数の実施形態では、メモリ３６が第１の構成コード３８を記憶するように構成される。例えば、第１の構成コード３８は、プロセッサ３４によって実行されると、プロセッサ３４に、図１１に関して説明された機能のような本明細書で説明された機能を実行させる命令を含む。１つまたは複数の実施形態では、メモリ３６が第２の構成コード４０を記憶するように構成される。例えば、第２の構成コード４０は、プロセッサ３４によって実行されると、プロセッサ３４に、図１４に関して説明された機能のような本明細書で説明された機能を実行させる命令を含む。
【００６６】
「クラウド」コンピューティングは一般に、構成可能なコンピューティングリソース（たとえば、ネットワーク、サーバ、ストレージ、アプリケーション、サービスなど）の共有プールへのアクセスを提供する一種のオンデマンドネットワークを指すことを当業者は理解するのであろう。リソースプールのアイデアは、エンドユーザのニーズを満たすためにリソースを混合し、マッチングすることを可能にするクラウドコンピューティングの重要な融通性特性である。クラウドコンピューティングソリューションは、ユーザと企業の両方に、様々な場所のデータセンタに彼らのデータを格納し、処理する能力を提供する。「クラウドレット」の概念も、モバイルユーザの視点に関連するので、提案されている。クラウドレットは、一般的には近くのモバイルデバイスの使用のために利用可能なクラウドリソースのローカライズされたセットを指す。本明細書で説明するように、クラウドレットはＲＢＳにより近い処理位置を指し、クラウドは、ＲＢＳからさらに離れた集中処理位置を指す。
【００６７】
図９は、本開示のいくつかの実施形態の原理による、ネットワークノードの代替実施形態である。ネットワークノード１４は本明細書で説明するように、シグナリングを送信するように構成された送信モジュール４２を含む。１つまたは複数の実施形態では、そのシグナリングがＬＴＥ無線デバイス１２およびＮＲ無線デバイス１２のためのレートマッチングを指示するダウンリンク制御情報（ＤＣＩ）を含む。
【００６８】
図１０は、本開示のいくつかの実施形態の原理による、無線デバイス１２の代替実施形態である。無線デバイス１２は本明細書で説明するように、シグナリングを受信するように構成された受信モジュール４４を含む。無線デバイス１２は本明細書で説明するように、ＤＣＩに基づいてレートマッチングを実行するように構成された実行モジュール４６を含む。
【００６９】
図１１は、本開示のいくつかの実施形態の原理による、第１の構成コード３８の例示的な構成プロセスのフロー図である。処理回路３２は本明細書で説明されるように、シグナリングを送信するように構成される（ブロックＳ１００）。そのシグナリングがＬＴＥ無線デバイス１２およびＮＲ無線デバイス１２のためのレートマッチングを指示するダウンリンク制御情報（ＤＣＩ）を含む。
【００７０】
図１２は、本開示のいくつかの実施形態の原理による例示的な第１のレートマッチングコード２６のフロー図である。処理回路２０は本明細書で説明されるように、シグナリングを受信するように構成される（ブロックＳ１０２）。そのシグナリングがＬＴＥ無線デバイス１２およびＮＲ無線デバイス１２のためのレートマッチングを指示するダウンリンク制御情報（ＤＣＩ）を含む。処理回路２０は本明細書で説明されるように、ＤＣＩに基づいてレートマッチングを実行するように構成される（ブロックＳ１０４）。
【００７１】
図１３は、本開示のいくつかの実施形態の原理による、第２のレートマッチングコード２７の例示的なレートマッチングプロセスのフロー図である。処理回路２０は本明細書で説明されるように、複数のネットワークノード１４からの送信を受信するように構成される（ブロックＳ１０６）。ネットワークノード１４のうちの少なくとも１つは、システム帯域幅の少なくとも一部を使用して、ＮＲ無線デバイス１２および少なくとも１つのＬＴＥ無線デバイス１２の両方にサービスを提供する。処理回路２０は本明細書で説明されるように、複数のネットワークノードから受信した送信に基づいてレートマッチングを実行するように構成される（ブロックＳ１０８）。
【００７２】
図１４は、本開示のいくつかの実施形態の原理による、第２の構成コード４０の例示的な構成プロセスのフロー図である。処理回路３２は、本明細書で説明されるように、ＮＲ無線デバイスが送信に基づいてレートマッチングを実行できるようにするために、ＮＲ無線デバイスへの少なくとも１つの送信を実行するように構成される（ブロックＳ１１０）。
【００７３】
図１５は、本明細書で説明される原理による、ユーザ機器無線デバイス１２における例示的なプロセスのフローチャートである。このプロセスは、処理回路２０を介して、伝送帯域の少なくとも一部内で第２の無線アクセス技術（ＲＡＴ）との共存を可能にする、第１のＲＡＴのためのリソースマッピングの指示を取得することを含む（ブロックＳ１１２）。このプロセスはまた、処理回路２０を介して、取得したリソースマッピングの指示に基づいて通信リソースを決定することを含む（ブロックＳ１１４）。
【００７４】
図１６は、本明細書で説明される原理による、基地局ネットワークノード１４における例示的なプロセスのフローチャートである。このプロセスは、伝送帯域の少なくとも一部の中で第２の無線アクセス技術（ＲＡＴ）との共存を可能にする、第１のＲＡＴのためのリソースマッピングの指示を、処理回路３２を介して、少なくとも１つのユーザ機器（ＵＥ）１２へとシグナリングすること（ブロックＳ１１６）を含む。
【００７５】
本開示の構成の一般的なプロセスフローを説明し、本開示のプロセスおよび機能を実装するためのハードウェアおよびソフトウェア構成の例を提供したので、以下のセクションは、共キャリヤ共存シナリオにおいて動的に指示される参照信号を使用するレートマッチングのための構成の詳細および例を提供する。
本開示の第１の態様による実施形態
本実施形態では、ＮＲ無線デバイス１２が、正しいＰＤＳＣＨ  ＲＥマッピングを決定するために使用される複数のＺＰ−ＲＳリソースからなるゼロパワー参照信号（ＺＰ−ＲＳ）構成で構成される。ＺＰ−ＲＳリソース内の時間周波数リソース要素は、ＺＰ−ＲＳリソースのそれぞれに含まれるＲＥが、ＬＴＥ無線デバイス１２（これはＮＲと周波数が重複するキャリヤを用いて配備される）および他のＮＲ無線デバイス１２のために構成される非周期的ＣＳＩ−ＲＳパターンの異なる組合せを考慮に入れるように、ＮＲ無線デバイス１２のために構成される。ＬＴＥ無線デバイス１２または他のＮＲ無線デバイス１２において、どの非周期的ＣＳＩ−ＲＳパターンの組合せがトリガされるかに応じて、ＰＤＳＣＨ  ＲＥマッピングを実行する目的で、ＮＲ無線デバイス１２へのダイナミックシグナルを通して、適切なＺＰ−ＲＳリソースが指示されるであろう。ＮＲ無線デバイス１２が一方の非周期的ＺＰ−ＲＳリソースで指示されたとき、ＮＲ無線デバイス１２は、ＰＤＳＣＨ  ＲＥマッピング中に動的にシグナリングされたＺＰ−ＲＳリソースに含まれるＲＥを回避する。指示されたＺＰ−ＲＳリソースは、ＰＤＳＣＨ  ＲＥマッピングまたはレートマッチングの目的で使用されるため、そのＺＰ−ＲＳリソースは代わりにレートマッチングリソースと呼ぶことができる。
【００７６】
この実施形態の例が、ＰＤＳＣＨ  ＲＥマッピングのためのＺＰ−ＲＳリソースがＮＲ無線デバイス１２ａ、１２ｂ、および１２ｃに指示されるシステム１０の図である図１７に示されている。この例では、ＬＴＥ無線デバイス１２ａが、ＣＳＩ−ＲＳパターンが所定のスロット内のＬＴＥ  ＣＳＩ−ＲＳパターンに属するＤＣＩ経由の非周期的ＣＳＩ−ＲＳ送信によってトリガされる。同様に、同じ所与のスロットにおいて、ＮＲ無線デバイス１２ｂは、ＣＳＩ−ＲＳパターンがＬＴＥ  ＣＳＩ−ＲＳパターンと異なる可能性のあるＤＣＩを介した非周期的ＣＳＩ−ＲＳ送信によってトリガされる。この例では、ＮＲ無線デバイス１２ｃが同じ所与のスロットにおけるＰＤＳＣＨ送信のためにスケジュールされる。ＰＤＳＣＨリソースが許可されるトリガ（ダウンリンクグラントとも呼ばれる）とともに、ネットワークノード１４は、同じ所与のスロット内で構成されたＺＰ−ＲＳリソースの一つのＤＣＩを経由して動的に指示する。動的に指示されるＺＰ−ＲＳリソース内のＲＥは、ＬＴＥ無線デバイス１２ａへの非周期的ＣＳＩ−ＲＳ送信において使用されるＲＥと、ＮＲ無線デバイス１２ｂへの非周期的ＣＳＩ−ＲＳ送信において使用されるＲＥとを含む。
【００７７】
この実施形態の第２の例を図１８に示す。この例では、ＬＴＥ無線デバイス１２ａが、ＣＳＩ−ＲＳパターンがスロット内のＬＴＥ  ＣＳＩ−ＲＳパターンに属するＤＣＩ経由の非周期的ＣＳＩ−ＲＳ送信によってトリガされる。ＮＲ無線デバイス１２ｂは非周期的ＣＳＩ−ＲＳで構成されるが、同じスロット内に非周期的ＣＳＩ−ＲＳ送信はない。この例では、ＮＲ無線デバイス１２ｃが同じスロットにおけるＰＤＳＣＨ送信のためにスケジュールされる。ＰＤＳＣＨリソースが許可されるトリガ（ダウンリンクグラントとしても知られる）とともに、ネットワークノード１４は、同じスロット内で構成されたＺＰ−ＲＳリソースの一つのＤＣＩを経由して動的にトリガする。動的にトリガされるＺＰ−ＲＳリソース内のＲＥは、ＬＴＥ無線デバイス１２ａへの非周期的ＣＳＩ−ＲＳ送信で使用されるＲＥを含む。
【００７８】
この実施形態の第３の例を図１９に示す。この例では、ＬＴＥ無線デバイス１２ｂは非周期的ＣＳＩ−ＲＳ送信のために構成されるが、スロット内に非周期的ＣＳＩ−ＲＳはない。同じスロットにおいて、ＮＲ無線デバイス１２ｂは、ＣＳＩ−ＲＳパターンがＬＴＥ  ＣＳＩ−ＲＳパターンと異なる可能性のあるＤＣＩを介した非周期的ＣＳＩ−ＲＳ送信によってトリガされる。この例では、ＮＲ無線デバイス１２ｃが同じスロットにおけるＰＤＳＣＨ送信のためにスケジュールされる。ＰＤＳＣＨリソースが許可されるトリガ（ダウンリンクグラントとしても知られる）とともに、ネットワークノード１４は、同じスロット内で構成されたＺＰ−ＲＳリソースの一つのＤＣＩを経由して動的にトリガする。動的にトリガされるＺＰ−ＲＳリソース内のＲＥは、ＮＲ無線デバイス１２ｂへの非周期的ＣＳＩ−ＲＳ送信で使用されるＲＥを含む。
【００７９】
本実施形態の一変形例では、ＮＲ無線デバイス１２が、正しいＰＤＳＣＨ  ＲＥマッピングを決定するために使用される複数のＺＰ−ＲＳリソースからなるそれぞれのＺＰ−ＲＳ構成を有する１つより多い（すなわち複数の）ＺＰ−ＲＳ構成で構成される。ＺＰ−ＲＳ構成は、ＰＤＳＣＨ  ＲＥマッピングまたはレートマッチングの目的で使用されるので、そのＺＰ−ＲＳ構成は代わりにレートマッチングリソース構成と呼ぶことができる。ＺＰ−ＲＳリソース内の時間周波数リソース要素は、ＺＰ−ＲＳ構成の中のＺＰ−ＲＥリソースのそれぞれに含まれるＲＥが、ＬＴＥ無線デバイス１２（これはＮＲと周波数がオーバーラップするキャリヤを用いて配備される）においてアクティブ化される非周期的ＣＳＩ−ＲＳパターンと、他のＮＲ無線デバイス１２のために構成される非周期的ＣＳＩ−ＲＳパターンとの異なる組合せを考慮に入れるように、ＮＲ無線デバイス１２のために構成される。ＬＴＥは構成されたＫ個の非周期的ＣＳＩ−ＲＳリソースのうちのＮ個のアクティブ化／非アクティブ化をサポートするので、ＮＲ無線デバイス１２のために構成されたＺＰ−ＲＳ構成のそれぞれは、ＬＴＥ無線デバイス１２のために構成されたＫ個の非周期的ＣＳＩ−ＲＳリソースのうちの特定のＮ個を考慮に入れる時間周波数リソース要素を有するＺＰ−ＲＳリソースからなることができる。このように、ＬＴＥ無線デバイス１２内のアクティブ化された非周期的ＣＳＩ−ＲＳリソースがＭＡＣ  ＣＥアクティブ化／非アクティブ化を介して変更されるとき、ネットワークノード１４は複数のＺＰ−ＲＳ構成のうちの１つをＮＲ無線デバイス１２に動的にシグナリングすることができ、動的に指示されたＺＰ−ＲＳ構成は、ＬＴＥ無線デバイス１２内の変更されたアクティブ化された非周期的ＣＳＩ−ＲＳリソースを考慮に入れる時間周波数リソース要素を伴うＺＰ−ＲＳリソースを含む。このようなＺＰ−ＲＳ構成のＮＲ無線デバイス１２への動的指示は、ＭＡＣ  ＣＥまたはＤＣＩを介して行うことができる。さらに、非周期的ＣＳＩ−ＲＳパターンのどの組み合わせがＬＴＥ無線デバイス１２内のアクティブ化されたＣＳＩ−ＲＳリソースの間でトリガされ、非周期的ＣＳＩ−ＲＳパターンのどの組み合わせが、他のＮＲ無線デバイス１２の間でトリガされるかに応じて、ＰＤＳＣＨ  ＲＥマッピングを実行する目的で、適切なＺＰ−ＲＳリソースが、動的シグナリングを介してＮＲ無線デバイス１２に指示される。ＮＲ無線デバイス１２が一方の非周期的ＺＰ−ＲＳリソースで指示されたとき、ＮＲ無線デバイス１２は、ＰＤＳＣＨ  ＲＥマッピング中に動的にシグナリングされたＺＰ−ＲＳリソースに含まれるＲＥを回避する。
【００８０】
場合によってはキャリヤ帯域幅の一部のみが、ＬＴＥ無線デバイスと共有される。これらの場合、ＬＴＥ  ＣＳＩ−ＲＳに関連するＺＰ−ＲＳリソースは、ＬＴＥ無線デバイス１２と共有される帯域幅の一部のみに適用されてよい。同様に、ＮＲ  ＣＳＩ−ＲＳに関連するＺＰ−ＲＳリソースは、ＬＴＥ無線デバイス１２と共有されない帯域幅の一部のみに適用されてよい。
【００８１】
本開示の第２の態様による実施形態
別の実施形態では、ＮＲ無線デバイス１２が複数の送信受信点（ＴＲＰ）、たとえば、ネットワークノード１４からＰＤＳＣＨデータを受信し、ＴＲＰのうちのいくつかはシステム帯域幅の全体または一部を使用してＬＴＥ無線デバイス１２にもサービスを提供している。一般に、データがどのＴＲＰから送信されるかについては、ＮＲ無線デバイス１２に対して透過的である。ＮＲ無線デバイス１２がサブフレームまたはスロット内でＰＤＳＣＨを用いてスケジュールされるとき、ＮＲ無線デバイス１２は、ＬＴＥ参照信号がサブフレームまたはスロット内に存在するかどうかについて動的にシグナリングされ得、存在する場合、レートマッチングリソース構成もまた、サブフレームまたはスロット内のＰＤＳＣＨレートマッチングのためにシグナリングされる。レートマッチングリソース構成は、ＮＲ無線デバイス１２のために準静的に構成された複数のレートマッチングリソース構成のうちの１つであり、各構成は、ＬＴＥ参照信号によって占有されたＲＥならびにサブフレームまたはスロット中のＮＲ参照信号によって占有されたＲＥに関する情報を含む。
【００８２】
一例が複数のネットワークノード１４からＮＲ無線デバイス１２へのＰＤＳＣＨ送信のブロック図である図２０に示され、ここで、ＮＲ無線デバイス１２は、３つのネットワークノード１４ａ〜１４ｃのうちの任意の１つ、例えば、ＴＲＰからＰＤＳＣＨデータを受信し、ネットワークノード１４ｃも、同じキャリヤ上でＬＴＥ無線デバイス１２ａと共有される。ＮＲ無線デバイス１２ｂがネットワークノード１４ｃからＰＤＳＣＨを受信するとき、ＰＤＳＣＨがＬＴＥ帯域の全体または一部でスケジュールされる場合、いくつかのＲＥはＬＴＥ参照信号によって占有され、それらのＲＥまたはそれらのＲＥを含むスーパーセットは、ＮＲ無線デバイス１２ｂにシグナリングされる必要がある。ＮＲ無線デバイス１２ｂは、Ｋ個のレートマッチングリソース構成を用いて準静的に構成され得、構成のうちの１つはネットワークノード１４ｃ内のＬＴＥ参照信号ＲＥの情報を含む。その構成は、ＰＤＳＣＨがどのネットワークノードから送信されるか、およびＰＤＳＣＨサブフレームまたはスロットにおいてどのＲＥが参照信号（ＮＲおよびＬＴＥの両方）によって占有されるかに基づいて、ＮＲ無線デバイス１２ｂに動的にシグナリングされ得る。参照信号には、周期的ＣＳＩ−ＲＳ、半持続的ＣＳＩ−ＲＳ、非周期的ＣＳＩ−ＲＳ、またはＬＴＥ  ＣＲＳが含まれる。
【００８３】
いくつかの追加の実施形態は、以下の通りである：
本開示の第１の態様
実施形態１Ａ．第１のＮＲ無線デバイスおよびＬＴＥ無線デバイスが伝送帯域の少なくとも一部を共有するＮＲ−ＬＴＥ共存シナリオにおける前記第１のＮＲ無線デバイスにおけるＰＤＳＣＨ  ＲＥマッピングの方法であって、前記方法は少なくとも：
前記ＮＲ無線デバイスとチャネルを共有するＬＴＥ無線デバイスへの非周期的ＣＳＩ−ＲＳの送信、および、
第２のＮＲ無線デバイスへの非周期的ＣＳＩ−ＲＳの送信、および、
前記第１のＮＲ無線デバイスへのＺＰ−ＣＳＩ−ＲＳ構成のシグナリング、
のうちの１つを含む。
【００８４】
実施形態１ＡＡ：実施形態１Ａの方法であって、前記ＰＤＳＣＨ  ＲＥマッピングが、非周期的ＣＳＩ−ＲＳの送信を考慮する。
【００８５】
実施形態２Ａ．実施形態１Ａの方法であって、複数のＺＰ−ＲＳリソースからなる前記ＺＰ−ＲＳリソース構成が、正しいＰＤＳＣＨ  ＲＥマッピングを決定するために使用される。
【００８６】
実施形態３Ａ．実施形態１Ａ−２Ａのいずれか１つの方法であって、前記ＺＰ−ＲＳリソース内の前記時間周波数リソース要素は、前記ＺＰ−ＲＳリソースのそれぞれに含まれる前記ＲＥが、前記ＬＴＥ無線デバイスおよび前記第２のＮＲ無線デバイスのために構成される前記非周期的ＣＳＩ−ＲＳパターンの異なる組合せを考慮に入れるように、前記ＮＲ無線デバイスのために構成される。
【００８７】
実施形態４Ａ．実施形態１Ａ−３Ａのいずれか１つの方法であって、ＰＤＳＣＨ  ＲＥマッピングを実行する目的で、前記第１のＮＲ無線デバイスに動的シグナリングを送信することにより、ＺＰ−ＲＳリソースの１つが指示される。
【００８８】
実施形態５Ａ．実施形態４の方法であって、前記動的シグナリングがＤＣＩによって実行される。
【００８９】
本開示の第２の態様
実施形態６Ａ．ＮＲ無線デバイスにおけるＰＤＳＣＨ  ＲＥマッピングの方法であって、ＰＤＳＣＨ  ＲＥマッピングが複数のＴＲＰからの送信を考慮し、ＴＲＰのうちのいくつかが、システム帯域幅の全体または一部を使用して１つまたは複数のＬＴＥ無線デバイスにもサービスを提供している。
【００９０】
実施形態７Ａ．本実施形態６Ａの方法であって、複数のレートマッチング構成が、正しいＰＤＳＣＨ  ＲＥマッピングを決定するために使用される前記ＮＲ無線デバイスのために準静的に構成される。
【００９１】
実施形態８Ａ．実施形態６Ａ−７Ａのいずれか１つの方法であって、前記レートマッチング構成のそれぞれは、１つまたは複数のＴＲＰからのＬＴＥ参照信号によって占有されるＲＥおよび／またはＮＲ参照信号によって占有されるＲＥに関する情報を含む。
【００９２】
実施形態９Ａ．実施形態６Ａ−８Ａのいずれか１つの方法であって、ＰＤＳＣＨ  ＲＥマッピングを実行する目的で、前記レートマッチング構成の１つを前記ＮＲ無線デバイスへの動的シグナリングを介して指示する。
【００９３】
実施形態１０Ａ．実施形態９Ａの方法であって、前記動的シグナリングがＤＣＩによって実行される。
【００９４】
他の実施形態
１．  Ｎｅｗ  Ｒａｄｉｏ（ＮＲ）無線デバイスにおけるレートマッチングのためのネットワークノードであって、前記ＮＲ無線デバイスは、ロングタームエボリューション（ＬＴＥ）無線デバイスと伝送帯域の少なくとも一部を共有し、前記ネットワークノードは：
メモリおよびプロセッサを含む処理回路を含み、前記処理回路は、
前記ＬＴＥ無線デバイスおよび前記ＮＲ無線デバイスのためのレートマッチングを指示するシグナリングを送信し、前記シグナリングは、オプションで、ダウンリンク制御情報（ＤＣＩ）を含む。
【００９５】
２．  実施形態１のネットワークノードであって、前記シグナリングが、スロット内のＬＴＥチャネル状態情報参照信号（ＣＳＩ−ＲＳ）パターンに対応するＣＳＩ−ＲＳパターンを含む、ＤＣＩを介する第１の非周期的ＣＳＩ−ＲＳ送信を含む。
【００９６】
３．  実施形態２のネットワークノードであって、前記シグナリングが、前記スロット内のＮＲチャネル状態情報参照信号（ＣＳＩ−ＲＳ）パターンに対応するＣＳＩ−ＲＳパターンを含む、ＤＣＩを介する第２の非周期的ＣＳＩ−ＲＳ送信を含む。
【００９７】
７．  レートマッチングのためのＮｅｗ  Ｒａｄｉｏ（ＮＲ）無線デバイスであって、前記ＮＲ無線デバイスは、ロングタームエボリューション（ＬＴＥ）無線デバイスと伝送帯域の少なくとも一部を共有し、前記ＮＲ無線デバイスは：
メモリおよびプロセッサを含む処理回路を含み、前記処理回路は、
前記ＬＴＥ無線デバイスおよび前記ＮＲ無線デバイスのためのレートマッチングを指示するシグナリングを受信し、前記シグナリングは、オプションで、ダウンリンク制御情報（ＤＣＩ）を含み、
オプションで、オプションで前記ＤＣＩに基づいてレートマッチングを実行する、ことを含む。
【００９８】
８．  実施形態７のＮＲ無線デバイスであって、前記レートマッチングは、複数のゼロパワー参照信号（ＺＰ−ＲＳ）リソースを含む共通のＺＰ−ＲＳリソース構成に基づく。
【００９９】
９．  実施形態８のＮＲ無線デバイスであって、前記ＺＰ−ＲＳリソースは時間−周波数リソース要素を含み、前記ＺＰ−ＲＳリソースのそれぞれに含まれた前記時間−周波数リソース要素は、前記ＬＴＥ無線デバイスおよび前記ＮＲ無線デバイスのために構成された非周期的チャネル状態情報参照信号（ＣＳＩ−ＲＳ）パターンの異なる組み合わせを考慮する。
【０１００】
１３．  レートマッチングのためのＮｅｗ  Ｒａｄｉｏ（ＮＲ）無線デバイスであって、前記無線デバイスは；
メモリおよびプロセッサを含む処理回路を含み、前記処理回路は、
複数のネットワークノードからの送信の受信し、前記ネットワークノードのうちの少なくとも１つは、システム帯域幅の少なくとも一部を使用して、ＮＲ無線デバイス及び少なくとも１つのロングタームエボリューション（ＬＴＥ）無線デバイスの両方にサービスを提供しており、
前記複数のネットワークノードから受信された送信に基づいてレートマッチングを実行する、よう構成される。
【０１０１】
１４．  実施形態１３のＮＲ無線デバイスであって、前記少なくとも１つの送信は、前記ＮＲ無線デバイスのために準静的に構成される複数のレーティングマッチング構成を含む。
【０１０２】
１５．  実施形態１３乃至１４のいずれかのＮＲ無線デバイスであって、前記レートマッチング構成の各々は、前記ＮＲ無線デバイスのために準静的に構成される。
【０１０３】
１６．  実施形態１３乃至１５のいずれかのＮＲ無線デバイスであって、前記レートマッチング構成は、ＬＴＥ参照信号と、少なくとも１つのネットワークノードからのＮＲ参照信号によって占有されるＲＥとからなるグループから取られた少なくとも１つによって占有されるＲＥに関する情報を含む。
【０１０４】
１７．  実施形態１３乃至１６のいずれかのＮＲ無線デバイスであって、少なくとも１つのレートマッチング構成が、動的シグナリングを介して指示される。
【０１０５】
１８．  実施形態１７のＮＲ無線デバイスであって、前記動的シグナリングがＤＣＩによって実行される。
【０１０６】
２５．  システム帯域幅の少なくとも一部を使用して、Ｎｅｗ  Ｒａｄｉｏ（ＮＲ）無線デバイス及び少なくとも１つのロングタームエボリューション（ＬＴＥ）無線デバイスの両方にサービスを提供する、レートマッチングのためのネットワークノードであって、前記ネットワークノードは：
メモリおよびプロセッサを含む処理回路を含み、前記処理回路は、
ＮＲ無線デバイスが送信に基づいてレートマッチングを実行できるようにするために、ＮＲ無線デバイスへの少なくとも１つの送信を実行するように構成される。
【０１０７】
２６．  実施形態２５のネットワークノードであって、前記送信は、前記ＮＲ無線デバイスに準静的のために構成される複数のレーティングマッチング構成を含む。
【０１０８】
２７．  実施形態２５乃至２６のいずれかのネットワークノードであって、前記レートマッチング構成の各々は、前記ＮＲ無線デバイスに準静的のために構成される。
【０１０９】
２８．  実施形態２５乃至２７のいずれかのネットワークノードであって、前記レートマッチング構成は、ＬＴＥ参照信号と、少なくとも１つのネットワークノードからのＮＲ参照信号によって占有されるＲＥとからなるグループから取られた少なくとも１つによって占有されるＲＥに関する情報を含む。
【０１１０】
２９．  実施形態２５乃至２８のいずれかのネットワークノードであって、少なくとも１つのレートマッチング構成が、動的シグナリングを介して指示される。
【０１１１】
３０．  実施形態２９のネットワークノードであって、前記動的シグナリングはＤＣＩにより実行される。
当業者によって理解されるように、本明細書で説明される概念は、方法、データ処理システム、および／またはコンピュータプログラム製品として具現化され得る。したがって、本明細書で説明される概念は全体的にハードウェアの実施形態、全体的にソフトウェアの実施形態、または本明細書で全体的に「回路」または「モジュール」と呼ばれるソフトウェアとハードウェアの態様を組み合わせた実施形態の形をとることができる。さらに、本開示は、コンピュータによって実行することができる、媒体内に具現化されたコンピュータプログラムコードを有する、有形のコンピュータ使用可能記憶媒体上のコンピュータプログラム製品の形をとることができる。ハードディスク、ＣＤ−ＲＯＭ、電子記憶装置、光記憶装置、または磁気記憶装置を含む、任意の適切な有形のコンピュータ可読媒体を利用することができる。
【０１１２】
いくつかの実施形態は、方法、システム、およびコンピュータプログラム製品のフローチャート図および／またはブロック図を参照して本明細書で説明される。フローチャート図および／またはブロック図の各ブロック、ならびにフローチャート図および／またはブロック図のブロックの組合せは、コンピュータプログラム命令によって実施できることを理解されたい。これらのコンピュータプログラム命令は、（それにより専用コンピュータを生成するための）汎用コンピュータ、専用コンピュータ、または他のプログラマブルデータ処理装置のプロセッサに提供されて、コンピュータまたは他のプログラマブルデータ処理装置のプロセッサを介して実行される命令が、フローチャートおよび／またはブロック図の１つまたは複数のブロックで特定された機能／動作を実施するための手段を作成するように、マシンを生成することができる。
【０１１３】
これらのコンピュータプログラム命令はまた、コンピュータ可読メモリまたは記憶媒体に記憶されてもよく、コンピュータ可読メモリまたは記憶媒体は、コンピュータまたは他のプログラマブルデータ処理デバイスに特定の様式で機能するように指示することができ、その結果、コンピュータ可読メモリに記憶された命令は、フローチャートおよび／またはブロック図の１つまたは複数のブロックで特定された機能／動作を実行する命令手段を含む製品を生成する。
【０１１４】
コンピュータプログラム命令はまた、コンピュータまたは他のプログラマブルデータ処理装置にロードされて、コンピュータまたは他のプログラマブル装置上で実行される命令がフローチャートおよび／またはブロック図の１つまたは複数のブロックで特定された機能／動作を実行するためのステップを提供するように、コンピュータまたは他のプログラマブル装置上で一連の動作ステップを実行させて、コンピュータ実装プロセスを生成することができる。
【０１１５】
ブロックに記載された機能／動作は、動作図に記載された順序とは異なる順序で行われてもよいことを理解されたい。例えば、連続して示される２つのブロックは実際には実質的に同時に実行されてもよく、またはブロックが含まれる機能／動作に応じて、時には逆の順序で実行されてもよい。図のいくつかは通信の主方向を示すために、通信経路上に矢印を含むが、通信は描かれた矢印と反対の方向に生じ得ることが理解されるべきである。
【０１１６】
本明細書で説明する概念の操作を実行するためのコンピュータプログラムコードは、Ｊａｖａ（登録商標）またはＣ＋＋などのオブジェクト指向プログラミング言語で書くことができる。しかし、本開示の動作を実行するためのコンピュータプログラムコードは、「Ｃ」プログラミング言語などの従来の手続き型プログラミング言語で書くこともできる。プログラムコードは、完全にユーザのコンピュータ上で、部分的にユーザのコンピュータ上で、スタンドアロンソフトウェアパッケージとして、部分的にユーザのコンピュータ上でかつ部分的にリモートコンピュータ上で、または完全にリモートコンピュータ上で実行することができる。後者のシナリオでは、リモートコンピュータがローカルエリアネットワーク（ＬＡＮ）またはワイドエリアネットワーク（ＷＡＮ）を介してユーザのコンピュータに接続することができ、または外部コンピュータに接続することができる（例えば、インターネットサービスプロバイダを使用するインターネットを介して）。
【０１１７】
多くの異なる実施形態が、上記の説明および図面に関連して本明細書に開示されている。これらの実施形態のあらゆる組み合わせおよびサブコンビネーションを文字通りに説明し、例示することは、過度に繰り返され、混乱させることが理解されるのであろう。したがって、すべての実施形態は任意の方法および／または組み合わせで組み合わせることができ、図面を含む本明細書は、本明細書で説明される実施形態のすべての組み合わせおよびサブコンビネーション、ならびにそれらを作製および使用する方法およびプロセスの完全な書面による説明を構成すると解釈されるべきであり、そのような任意の組み合わせまたはサブコンビネーションに対する特許請求の範囲をサポートするものとする。
【０１１８】
当業者であれば、本実施形態は、本明細書に特に示され、記載されたものに限定されないことを理解するのであろう。加えて、上記に反対の言及がなされない限り、添付の図面の全てが縮尺通りではないことに留意されたい。上記の教示に照らして、以下の特許請求の範囲から逸脱することなく、様々な修正および変形が可能である。
【図１】
2020526099.tif 000005
【図２】
2020526099.tif 000006
【図３】
2020526099.tif 000007
【図４】
2020526099.tif 000008
【図５】
2020526099.tif 000009
【図６】
2020526099.tif 000010
【図７】
2020526099.tif 000011
【図８】
2020526099.tif 000012
【図９】
2020526099.tif 000013
【図１０】
2020526099.tif 000014
【図１１】
2020526099.tif 000015
【図１２】
2020526099.tif 000016
【図１３】
2020526099.tif 000017
【図１４】
2020526099.tif 000018
【図１５】
2020526099.tif 000019
【図１６】
2020526099.tif 000020
【図１７】
2020526099.tif 000021
【図１８】
2020526099.tif 000022
【図１９】
2020526099.tif 000023
【図２０】
2020526099.tif 000024
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）（１２）であって、処理回路（２０）を含み、前記処理回路（２０）は、
伝送帯域の少なくとも一部内で第２の無線アクセス技術（ＲＡＴ）を避けてマッピングを可能にする、第１のＲＡＴのためのリソースマッピングの指示を取得し、
取得された前記リソースマッピングの指示に基づいて通信リソースを決定し、
前記指示は第１の指示であり、前記ユーザ機器はさらに、前記伝送帯域内で前記第２のＲＡＴとの共存を可能にする、前記第１の無線アクセス技術（ＲＡＴ）のための１つ以上のリソースマッピングの１つ以上の追加の指示を取得する
よう構成されるユーザ機器（１２）。
【請求項２】
請求項１に記載のＵＥ（１２）であって、前記伝送帯域が前記第１のＲＡＴのキャリヤであるＵＥ（１２）。
【請求項３】
請求項１または２に記載のＵＥ（１２）であって、前記第１のＲＡＴがＮｅｗ  Ｒａｄｉｏ（ＮＲ）であり、前記第２のＲＡＴがロングタームエボリューション（ＬＴＥ）である、ＵＥ（１２）。
【請求項４】
請求項１乃至３のいずれか一項に記載のＵＥ（１２）であって、前記ＵＥ（１２）はＮｅｗ  Ｒａｄｉｏ（ＮＲ）ＵＥ（１２）である、ＵＥ（１２）。
【請求項５】
請求項１乃至４のいずれか一項に記載のＵＥ（１２）であって、決定された前記通信リソースは、物理ダウンリンク共有チャネル（ＰＤＳＣＨ）リソースである、ＵＥ（１２）。
【請求項６】
請求項１乃至５のいずれか一項に記載のＵＥ（１２）であって、取得された前記リソースマッピングの指示が複数の基地局（１４）から受信された送信に基づく、ＵＥ（１２）。
【請求項７】
請求項１乃至６のいずれか一項に記載のＵＥ（１２）であって、前記処理回路がゼロパワー参照信号（ＺＰ−ＲＳ）の使用を指示する動的シグナリングを受信するようにさらに構成され、これによりサブフレーム内に存在し得るロングタームエボリューション（ＬＴＥ）参照信号を避けて前記サブフレーム内のリソースマッピングが可能になる、ＵＥ（１２）。
【請求項８】
請求項１乃至７のいずれか一項に記載のＵＥ（１２）であって、前記リソースマッピングの指示がダウンリンク制御情報（ＤＣＩ）で受信される、ＵＥ（１２）。
【請求項９】
請求項１乃至８のいずれか一項に記載のＵＥ（１２）であって、前記処理回路は、前記リソースマッピング中に、ＺＰ−ＲＳリソースを避けて物理ダウンリンク共有チャネル（ＰＤＳＣＨ）をリソースマッピングするように更に構成される、ＵＥ（１２）。
【請求項１０】
ユーザ機器（ＵＥ）（１２）のための方法であって、前記方法は、
伝送帯域の少なくとも一部内で第２の無線アクセス技術（ＲＡＴ）を避けてマッピングを可能にする、第１のＲＡＴのためのリソースマッピングの指示を取得し（Ｓ１１２）、
取得された前記リソースマッピングの指示に基づいて通信リソースを決定し（Ｓ１１４）、
前記指示は第１の指示であり、前記ユーザ機器はさらに、前記伝送帯域内で前記第２のＲＡＴとの共存を可能にする、前記第１の無線アクセス技術（ＲＡＴ）のための１つ以上のリソースマッピングの１つ以上の追加の指示を取得する
ことを含む、方法。
【請求項１１】
請求項１０に記載の方法であって、前記伝送帯域が前記第１のＲＡＴのキャリヤである方法。
【請求項１２】
請求項１０または１１に記載の方法であって、前記第１のＲＡＴがＮｅｗ  Ｒａｄｉｏ（ＮＲ）であり、前記第２のＲＡＴがロングタームエボリューション（ＬＴＥ）である、方法。
【請求項１３】
請求項１０乃至１２のいずれか一項に記載の方法であって、前記ＵＥ（１２）はＮｅｗ  Ｒａｄｉｏ（ＮＲ）ＵＥ（１２）である、方法。
【請求項１４】
請求項１０乃至１３のいずれか一項に記載の方法であって、決定された前記通信リソースは、物理ダウンリンク共有チャネル（ＰＤＳＣＨ）リソースである、方法。
【請求項１５】
請求項１０乃至１４のいずれか一項に記載の方法であって、取得された前記リソースマッピングの指示が複数の基地局（１４）から受信された送信に基づく、方法。
【請求項１６】
請求項１０乃至１５のいずれか一項に記載の方法であって、ゼロパワー参照信号（ＺＰ−ＲＳ）の使用を指示する動的シグナリングを受信することをさらに含み、これによりサブフレーム内に存在し得るロングタームエボリューション（ＬＴＥ）参照信号を避けて前記サブフレーム内のリソースマッピングが可能になる、方法。
【請求項１７】
請求項１０乃至１６のいずれか一項に記載の方法であって、前記リソースマッピングの指示がダウンリンク制御情報（ＤＣＩ）で受信される、方法。
【請求項１８】
請求項１０乃至１７のいずれか一項に記載の方法であって、前記リソースマッピング中に、ＺＰ−ＲＳリソースを避けて物理ダウンリンク共有チャネル（ＰＤＳＣＨ）リソースマッピングすることをさらに含む、方法。
【請求項１９】
請求項１に記載のユーザ機器であって、前記第１の指示および１つ以上のリソースマッピングの前記１つ以上の追加の指示は、１つ以上のＬＴＥ  ＣＲＳパターンに対応する、ユーザ機器。
【請求項２０】
請求項１に記載のユーザ機器であって、前記第１の指示および１つ以上のリソースマッピングの前記１つ以上の追加の指示は、１つ以上の周期的ＣＳＩ−ＲＳパターンに対応する、ユーザ機器。
【請求項２１】
請求項１または１９または２０に記載のユーザ機器であって、前記１つ以上の追加の指示は、前記第１の指示を送信する第１の基地局と識別できる１つ以上の追加の基地局からの送信に対応する、ユーザ機器。
【国際調査報告】
2020526099.tif 000025
2020526099.tif 000026
2020526099.tif 000027
2020526099.tif 000028
2020526099.tif 000029